(57)【特許請求の範囲】
【請求項１】
手持ち式工作機械であって、少なくとも１つの開ループ制御および／または閉ループ制御ユニット（１２ａ；１２ａ′；１２ｂ；１２ｃ；１２ｄ）と、少なくとも１つの駆動ユニット特性値を検出するための少なくとも１つの駆動ユニット用センサユニット（１４ａ；１４ａ′；１４ｂ；１４ｃ；１４ｄ）と、を有しており、前記駆動ユニット特性値は、前記手持ち式工作機械の駆動ユニット（１６ａ；１６ａ′；１６ｂ；１６ｃ；１６ｄ）を少なくとも開ループ制御および／または閉ループ制御するために、かつ／または前記開ループ制御および／または閉ループ制御ユニット（１２ａ；１２ａ′；１２ｂ；１２ｃ；１２ｄ）の作業員に情報提供するために処理可能である形式のものにおいて、
少なくとも１つの周囲特性値を検出するための少なくとも１つの周囲センサユニット（１８ａ；１８ａ′；１８ｂ；１８ｃ；１８ｄ）が設けられており、前記周囲特性値は、前記駆動ユニット（１６ａ；１６ａ′；１６ｂ；１６ｃ；１６ｄ）を少なくとも開ループ制御および／または閉ループ制御するために、かつ／または前記開ループ制御および／または閉ループ制御ユニット（１２ａ；１２ａ′；１２ｂ；１２ｃ；１２ｄ）の作業員に情報提供するために処理可能であり、
前記開ループ制御および／または閉ループ制御ユニット（１２ａ；１２ａ′；１２ｂ；１２ｃ；１２ｄ）は、前記手持ち式工作機械のエミッション値として構成された前記周囲特性値、および、前記手持ち式工作機械のグローバルな位置に応じて割り当てられたエミッション限度に少なくとも依存して、前記駆動ユニット（１６ａ；１６ａ′；１６ｂ；１６ｃ；１６ｄ）を開ループ制御および／または閉ループ制御するために設けられている
ことを特徴とする、手持ち式工作機械。
【請求項２】
電子データを交換して前記駆動ユニット（１６ａ；１６ａ′；１６ｂ；１６ｃ；１６ｄ）を少なくとも開ループ制御および／または閉ループ制御するために、少なくとも１つの外部ユニット（２２ａ；２２ａ′；２２ｂ；２２ｃ；２２ｄ）と通信するための少なくとも１つの通信ユニット（２０ａ；２０ａ′；２０ｂ；２０ｃ；２０ｄ）が設けられている
ことを特徴とする、請求項１に記載の手持ち式工作機械。
【請求項３】
前記開ループ制御および／または閉ループ制御ユニット（１２ａ；１２ａ′；１２ｂ；１２ｃ；１２ｄ）は、前記通信ユニット（２０ａ；２０ａ′；２０ｂ；２０ｃ；２０ｄ）によって中央のデータベースにアクセスするために設けられており、前記中央のデータベースに、前記開ループ制御および／または閉ループ制御ユニット（１２ａ；１２ａ′；１２ｂ；１２ｃ；１２ｄ）によって前記駆動ユニット（１６ａ；１６ａ′；１６ｂ；１６ｃ；１６ｄ）を少なくとも開ループ制御および／または閉ループ制御するために処理可能である少なくとも１つの安全規定および／または運転範囲規定が記憶されている
ことを特徴とする、請求項２に記載の手持ち式工作機械。
【請求項４】
前記開ループ制御および／または閉ループ制御ユニット（１２ａ；１２ａ′；１２ｂ；１２ｃ；１２ｄ）は、前記駆動ユニット用センサユニット（１４ａ；１４ａ′；１４ｂ；１４ｃ；１４ｄ）によって検出された前記少なくとも１つの駆動ユニット特性値に少なくとも依存して、前記手持ち式工作機械の工具収容部（２８ａ；２８ｂ；２８ｃ；２８ｄ）に配置された加工工具（４４ａ；４４ｂ；４４ｄ）の加工工具位置を算出するために設けられている
ことを特徴とする、請求項１から３のいずれか１項に記載の手持ち式工作機械。
【請求項５】
少なくとも１つの作業範囲照明ユニット（９２ａ；９２ｂ；９２ｃ；９２ｄ）が設けられており、該作業範囲照明ユニット（９２ａ；９２ｂ；９２ｃ；９２ｄ）は、前記周囲センサユニット（１８ａ；１８ａ′；１８ｂ；１８ｃ；１８ｄ）によって検出された前記少なくとも１つの周囲特性値に依存して、前記開ループ制御および／または閉ループ制御ユニット（１２ａ；１２ａ′；１２ｂ；１２ｃ；１２ｄ）によって開ループ制御可能および／または閉ループ制御可能である
ことを特徴とする、請求項１から４のいずれか１項に記載の手持ち式工作機械。
【請求項６】
少なくとも１つの加工工具特性値を検出するための少なくとも１つの加工工具センサユニット（２４ａ；２４ａ′；２４ｂ；２４ｃ；２４ｄ）が設けられており、前記加工工具特性値は、前記駆動ユニット（１６ａ；１６ａ′；１６ｂ；１６ｃ；１６ｄ）を少なくとも開ループ制御および／または閉ループ制御するために、かつ／または前記開ループ制御および／または閉ループ制御ユニット（１２ａ；１２ａ′；１２ｂ；１２ｃ；１２ｄ）の作業員に情報提供するために処理可能である
ことを特徴とする、請求項１から５のいずれか１項に記載の手持ち式工作機械。
【請求項７】
前記手持ち式工作機械の工具収容部（２８ａ；２８ａ′；２８ｂ；２８ｃ；２８ｄ）を、前記加工工具センサユニット（２４ａ；２４ａ′；２４ｂ；２４ｃ；２４ｄ）によって検出された前記少なくとも１つの加工工具特性値に少なくとも依存して操作および／または係止するための少なくとも１つのアクチュエータユニット（２６ａ；２６ａ′；２６ｂ；２６ｃ；２６ｄ）が設けられている
ことを特徴とする、請求項６に記載の手持ち式工作機械。
【請求項８】
少なくとも１つの工作物特性値を検出するための少なくとも１つの工作物センサユニット（３０ａ；３０ａ′；３０ｂ；３０ｃ；３０ｄ）が設けられており、該工作物特性値は、前記駆動ユニット（１６ａ；１６ａ′；１６ｂ；１６ｃ；１６ｄ）を少なくとも開ループ制御および／または閉ループ制御するために、かつ／または前記開ループ制御および／または閉ループ制御ユニット（１２ａ；１２ａ′；１２ｂ；１２ｃ；１２ｄ）の作業員に情報提供するために処理可能である
ことを特徴とする、請求項１から７のいずれか１項に記載の手持ち式工作機械。
【請求項９】
少なくとも１つの工作機械付属品特性値を検出するための少なくとも１つの工作機械付属品センサユニット（３２ａ；３２ａ′；３２ｂ；３２ｃ；３２ｄ）が設けられており、前記工作機械付属品特性値は、前記駆動ユニット（１６ａ；１６ａ′；１６ｂ；１６ｃ；１６ｄ）を少なくとも開ループ制御および／または閉ループ制御するために、かつ／または前記開ループ制御および／または閉ループ制御ユニット（１２ａ；１２ａ′；１２ｂ；１２ｃ；１２ｄ）の作業員に情報提供するために処理可能である
ことを特徴とする、請求項１から８のいずれか１項に記載の手持ち式工作機械。
【請求項１０】
工作機械システムであって、請求項１から９のいずれか１項に記載の少なくとも１つの手持ち式工作機械を有している、工作機械システム。
【請求項１１】
請求項１に記載の少なくとも１つの手持ち式工作機械を開ループ制御および／または閉ループ制御するための方法において、
前記開ループ制御および／または閉ループ制御ユニット（１２ａ；１２ａ′；１２ｂ；１２ｃ；１２ｄ）が、前記手持ち式工作機械による少なくとも１つの周囲の影響を算出し、前記手持ち式工作機械による前記周囲の影響を、前記手持ち式工作機械の前記駆動ユニット（１６ａ；１６ａ′；１６ｂ；１６ｃ；１６ｄ）を少なくとも開ループ制御および／または閉ループ制御するために考慮する
ことを特徴とする、方法。
【請求項１２】
前記開ループ制御および／または閉ループ制御ユニット（１２ａ；１２ａ′；１２ｂ；１２ｃ；１２ｄ）が、少なくとも１つの運転モードで、前記手持ち式工作機械の工具収容部（２８ａ；２８ａ′；２８ｂ；２８ｃ；２８ｄ）を少なくとも部分的に自動的に開放および／または閉鎖する
ことを特徴とする、請求項１１に記載の方法。
【請求項１３】
前記開ループ制御および／または閉ループ制御ユニット（１２ａ；１２ａ′；１２ｂ；１２ｃ；１２ｄ）が、少なくとも１つの運転モードで、少なくとも部分的に自動的に通信ユニット（２０ａ；２０ａ′；２０ｂ；２０ｃ；２０ｄ）によって中央のデータベースにアクセスし、前記中央のデータベースに、前記開ループ制御および／または閉ループ制御ユニット（１２ａ；１２ａ′；１２ｂ；１２ｃ；１２ｄ）によって前記駆動ユニット（１６ａ；１６ａ′；１６ｂ；１６ｃ；１６ｄ）を少なくとも開ループ制御および／または閉ループ制御するために処理可能である少なくとも１つの安全規定および／または運転範囲規定が記憶されている
ことを特徴とする、請求項１１または１２に記載の方法。
【請求項１４】
前記開ループ制御および／または閉ループ制御ユニット（１２ａ；１２ａ′；１２ｂ；１２ｃ；１２ｄ）が、前記駆動ユニット（１６ａ；１６ａ′；１６ｂ；１６ｃ；１６ｄ）を少なくとも開ループ制御および／または閉ループ制御するために、通信ユニットにより伝送されたデータを利用する
ことを特徴とする、請求項１１または１２に記載の方法。
【請求項１５】
前記開ループ制御および／または閉ループ制御ユニット（１２ａ；１２ａ′；１２ｂ；１２ｃ；１２ｄ）が、少なくとも１つの情報を情報アウトプットユニット（３６ａ；３６ａ′；３６ｂ；３６ｃ；３６ｄ）によってアウトプットする
ことを特徴とする、請求項１１から１４のいずれか１項に記載の方法。
【請求項１６】
前記開ループ制御および／または閉ループ制御ユニット（１２ａ；１２ａ′；１２ｂ；１２ｃ；１２ｄ）が、前記手持ち式工作機械の少なくとも１つの運転モード設定を、開ループ制御および／または閉ループ制御する
ことを特徴とする、請求項１１から１５のいずれか１項に記載の方法。
【発明の詳細な説明】
【技術分野】
【０００１】
本発明は、工作機械装置、特に手持ち式工作機械装置であって、少なくとも１つの開ループ制御および／または閉ループ制御ユニットと、少なくとも１つの駆動ユニット特性値を検出するための少なくとも１つの駆動ユニット用センサユニットとを有しており、前記駆動ユニット特性値は、工作機械の駆動ユニットを少なくとも開ループ制御および／または閉ループ制御するために、かつ／または前記開ループ制御および／または閉ループ制御ユニットの作業員に情報提供するために処理可能である形式のものに関する。
【背景技術】
【０００２】
特許文献１によれば、開ループ制御および／または閉ループ制御ユニットと、少なくとも１つの駆動ユニット特性値を検出するための駆動ユニット用センサユニットとを有する工作機械装置、特に手持ち式工作機械装置が既に公知であり、この場合、駆動ユニット特性値は、工作機械の駆動ユニットを開ループ制御および／または閉ループ制御するために、かつ／または開ループ制御および／または閉ループ制御ユニットの作業員に情報提供するために処理可能である。
【先行技術文献】
【特許文献】
【０００３】
【特許文献１】アメリカ合衆国特許出願第２０１３／０１８７５８７号明細書
【発明の概要】
【０００４】
工作機械装置が、少なくとも１つの周囲特性値を検出するための少なくとも１つの周囲センサユニットを有していることが提案されており、前記周囲特性値は、駆動ユニットを少なくとも開ループ制御および／または閉ループ制御するために、かつ／または開ループ制御および／または閉ループ制御ユニットの作業員に情報提供するために処理可能である。「周囲センサユニット」とは、ここでは特に、工作機械装置を取り囲む周囲を定義し、取り囲む周囲に対する工作機械装置の影響を定義し、かつ／または取り囲む周囲に対して相対的な工作機械装置の位置決めを定義する少なくとも１つの周囲特性値を検出するための少なくとも１つの周囲センサ素子を有するセンサユニットのことである。この場合、周囲センサユニットは、好適な形式で、少なくとも１つの周囲圧力、周囲温度、工作機械装置を有する工作機械の騒音エミッション、電磁放射線、ダスト発生特性値、火花形成特性値、臭気特性値、有害物質特性値、グローバルな位置および／または室内における工作機械装置の位置、湿気特性値、ｐＨ値特性値、ガス特性値等を検出するために設けられている。開ループ制御および／または閉ループ制御ユニットは、好適には少なくとも、駆動ユニットを、駆動ユニット用センサユニットによって検出された少なくとも１つの駆動ユニット特性値に依存して、および周囲センサユニットによって検出された少なくとも１つの周囲特性値に依存して開ループ制御および／または閉ループ制御するために設けられている。追加的に、開ループ制御および／または閉ループ制御ユニットは、好適には少なくとも、駆動ユニット用センサユニットによって検出された少なくとも１つの駆動ユニット特性値に依存して、および周囲センサユニットによって検出された少なくとも１つの周囲特性値に依存して、作業員に情報提供するために設けられている。好適には、少なくとも１つの駆動ユニット特性値、駆動ユニットの最大回転数、最小回転数、最大トルクおよび／または最小トルクが、開ループ制御および／または閉ループ制御ユニットによって開ループ制御可能および／または閉ループ制御可能である。
【０００５】
また、開ループ制御および／または閉ループ制御ユニットは、工作機械装置を有する工作機械のファンシステムを、駆動ユニット用センサユニットによって検出された少なくとも１つの駆動ユニット特性値に依存して、および周囲センサユニットによって検出された少なくとも１つの周囲特性値に依存して、開ループ制御および／または閉ループ制御するために設けられていることが考えられる。これは、例えばフラップを閉鎖することによって、ひいては気流を減少させることによって得られる。好適な形式でファン騒音は低減される。また、開ループ制御および／または閉ループ制御ユニットによって、伝動装置騒音を低減させるために、例えば、駆動ユニット用センサユニットによって検出された少なくとも１つの駆動ユニット特性値に依存して、および周囲センサユニットによって検出された少なくとも１つの周囲特性値に依存して、伝動装置の遊びをアクティブに変化させることが同様に考えられる。「開ループ制御および／または閉ループ制御ユニット」とは、特に、少なくとも１つの電子制御回路を有するユニットと解釈されるべきである。「電子制御回路」とは、特に、プロセッサユニットおよびメモリーユニットならびにこのメモリーユニット内に記憶された運転プログラムを有するユニットと解釈されるべきである。「設けられている」とは、特に、特別にプログラミングされた、特別に設計されたおよび／または特別に装備された、と解釈されるべきである。素子および／またはユニットが所定の機能のために設けられているとは、特に、この素子および／またはユニットが少なくとも使用状態および／または運転状態で、所定の機能を満たし、かつ／または実施する、と解釈されるべきである。
【０００６】
駆動ユニット用センサユニットは、好適な形式で、電動機ユニットとして、特にブラシレス電動機ユニットとして構成された駆動ユニットの少なくとも１つの駆動ユニット特性値を検出するために設けられている。従って、駆動ユニット用センサユニットは好適にはＥＣ電動機駆動ユニット用センサユニットとして構成されている。この場合、駆動ユニット特性値は、駆動ユニット電流として、駆動ユニット電圧として、駆動ユニット回転角度として、電気的な駆動ユニット抵抗として、駆動ユニット磁界特性値として、駆動ユニットの起電力特性値として、駆動ユニット回転数として、駆動ユニットトルクとして、駆動ユニット角速度として、駆動ユニットロータ位置として、駆動ユニット回転方向として、駆動ユニット温度として、またはその他の、当業者にとって有意義であるとみなされた駆動ユニット特性値として構成されていてよい。駆動ユニット特性値は、好適には、作業員によるスイッチの純粋なスイッチ操作とは異なっている。駆動ユニット用センサユニットは、少なくとも１つの駆動ユニット特性値を検出するための少なくとも１つの駆動ユニットセンサ素子を有している。この場合、駆動ユニットセンサ素子は、駆動ユニット電流センサとして、駆動ユニット電圧センサとして、駆動ユニット回転角度センサとして、電気的な駆動ユニット抵抗センサとして、駆動ユニット磁界センサとして、起電力特性値センサとして、駆動ユニット回転数センサとして、駆動ユニットトルクセンサとして、駆動ユニット角速度センサとして、駆動ユニットロータ位置センサとして、駆動ユニット回転方向センサとして、駆動ユニット温度センサとして、またはその他の、当業者によって有意義であるとみなされた駆動ユニットセンサ素子として構成されていてよい。
【０００７】
作業員に情報提供するための情報アウトプットユニットは、好適な形式で、視覚式、聴覚式および／または触覚式の情報アウトプットユニットとして構成されている。この場合、情報アウトプットユニットは、好適な形式で工作機械装置の構成部分である。しかしながら、情報アウトプットユニットは、工作機械装置を有する工作機械の構成部分、または外部ユニット、例えばスマートフォン、タブレット、ＰＣ、ラップトップ等の構成部分であることも考えられる。情報アウトプットユニットは、作業員に情報提供するために、好適な形式で、例えばＬＣディスプレイ、接触感応式のディスプレイ、ＬＥＤディスプレイ、プラズマディスプレイ等の、作業員に視覚的に情報提供するための少なくとも１つの光学式のアウトプットユニットを有している。好適には、情報アウトプットユニットは、例えばスピーカー等の、作業員に聴覚的に情報提供するための少なくとも１つの音響的なアウトプットユニットを有している。特に好適には、情報アウトプットユニットは、例えば振動励起ユニット等の、作業員に触覚式に情報提供するための触覚式のアウトプットユニットを有している。しかしながら、作業員への情報提供が、開ループ制御および／または閉ループ制御ユニットによる駆動ユニットの制御に従って行われることも考えられる。この場合、作業員への情報提供は、例えば駆動ユニット回転数等の回転数変動によって行われることが考えられる。その他の、当業者にとって有意義であるとみなされた作業員への情報提供が、同様に考えられる。工作機械装置の本発明の実施態様によって、好適な形式でエミッション限界を維持することができる。従って、好適には、エミッション限界が適用される場所で工作物を加工することができる。しかも好適には、工作物加工の周辺にいる人間に迷惑をかけることは少ない。従って好適には、エミッションの少ない工作物の加工が実現され得る。また好適には作業員の高い安全性が得られる。何故ならば、例えば室内での工作機械装置の整列および工作機械装置のグローバルな位置は、場所的に制約された安全性要求と組み合わせて、駆動ユニットおよび／または安全機能の開ループ制御および／または閉ループ制御のために利用できるからである。従って好適には、作業員は怪我しないように保護され得る。
【０００８】
さらに、工作機械装置が、電子データを交換して前記駆動ユニットを少なくとも開ループ制御および／または閉ループ制御するために、少なくとも１つの外部ユニットと通信するための少なくとも１つの通信ユニットを有していることが提案される。通信ユニットは、好適な形式で、ワイヤレスの通信ユニットとして構成されている。この場合、通信ユニットは、ＷＬＡＮ通信ユニットとして、ブルートゥース（登録商標）通信ユニットとして、無線通信ユニットとして、ＲＦＩＤ通信ユニットとして、ＮＦＣユニットとして、赤外線通信ユニットとして、移動無線網通信ユニット等として構成されていてよい。特に好適には、開ループ制御および／または閉ループ制御ユニットは、周囲センサユニットによって検出された少なくとも１つの周囲特性値に依存して、および通信ユニットによって開ループ制御および／または閉ループ制御ユニットに伝送された電子データに依存して、駆動ユニットおよび／または安全機能を開ループ制御および／または閉ループ制御するために設けられている。特に好適には、通信ユニットは、双方向データ伝送のために設けられている。選択的な実施態様によれば、通信ユニットは有線式の通信ユニットとして、例えばＬＡＮ通信ユニットとして、ＵＳＢ通信ユニット等として構成されている。外部ユニットは好適な形式で、通信ユニットと通信するためのＡｐｐ（アプリ）を有するスマートフォンとして構成されている。しかしながら、外部ユニットが、持ち運び可能な外部操作ユニットとして、作業員の作業場所に固定的に設置された操作ユニットとして、室内に固定的に設置された、例えば会社規定／安全性規定に従って中央制御され得る、使用場所の同期ユニットとして、作業員の身体特性値監視ユニットとして、外部のセンサユニットとして、またはその他の、当業者にとって有意義であるとみなされた中央のもしくは中央から離れた操作ユニット、インプットステーションおよび／または中央のもしくは中央から離れたターミナルとして構成されていることも考えられる。これによって、好適な形式で、電子データの同期化が可能である。例えば工作機械装置を有する工作機械が、例えば電源ケーブルを差し込むことによるアキュムレータ装置の差し込みによって、または作業員により作動されることによって、同期化モードで運転されると、通信ユニットと外部ユニットの間の接続が少なくとも部分的に自動的に形成される。これによって、好適な形式で、外部ユニットに記憶された調整が、工作機械装置を有する工作機械に直接伝送可能である。この場合、調整とは、作業員の個別の調整、例えば設定された回転数および最大出力への所望の迅速な加速、および／または会社の規定、例えば会社敷地または使用場所の所定の領域内での安全機能の維持その他のことである。
【０００９】
また、電子データは、通信ユニットによって外部ユニットに伝送可能である。この場合、例えば負荷限界の維持をコントロールするための作業員の振動負荷、および／または場合によっては追加手当の支払い、および／または工作機械のフル稼働を判断するための耐用年数および負荷が会社の本部等に伝送可能である。さらに、外部ユニットが安全装備および／または適切な作業服の存在を、例えばＲＦＩＤ識別その他によって検査することが考えられる。この場合、外部ユニットは、検知された安全装備および／または適切な作業服に依存して、駆動ユニットを開ループ制御および／または閉ループ制御するための調整、および／または工作機械装置を有する工作機械の安全機能の調節を、通信ユニットを介して開ループ制御および／または閉ループ制御ユニットに伝送する。
【００１０】
特に、工作物を室内、例えば会社の室内で加工する際に、エミッション、例えば音響エミッションが、固体伝播音によって、室が配置されている建物の別の範囲に伝達可能である。室内で工作物を加工する際に発生するエミッションによる、建物内の人間にかかる負荷を小さくするために、好適な形式で、エミッション特性値を検出するために設けられた、センサユニットとして構成された少なくとも１つの外部ユニットが建物の別の領域内に配置可能である。検出されたエミッション特性値は、通信ユニットによって好適な形式で、開ループ制御および／または閉ループ制御ユニットに伝送可能である。この場合、開ループ制御および／または閉ループ制御ユニットは、好適な形式で駆動ユニットをエミッション限界に依存して、開ループ制御および／または閉ループ制御する。これによって、好適な形式で、建物の室内で工作物の加工を行うことができ、この場合、建物の別の領域内にいる人間は、僅かなエミッションによって煩わされるだけである。しかも、通信ユニットによって、好適な形式で工作機械装置を時間と同期化させることが可能である。これによって、特に昼の休憩時間を守ることができる。これによって、駆動ユニットは、時刻に依存して、開ループ制御および／または閉ループ制御ユニットによって開ループ制御可能および／または閉ループ制御可能である。好適には、休憩時間を守ることができる。また、本発明による実施態様によって、工作機械装置を有する工作機械の特性値を、好適には、特に中央で快適に調整することができる。さらに、好適には安全機能を開ループ制御および／または閉ループ制御するために、開ループ制御および／または閉ループ制御ユニットと、エミッション限界値監視ユニットとして構成された外部ユニットおよび／または当業者にとって有意義であるとみなされた別の外部ユニットとの間で、好適には通信を行うことができる。従って、好適には、作業場所の周囲の人間に著しく配慮することができる。
【００１１】
開ループ制御および／または閉ループ制御ユニットは、通信ユニットによって中央のデータベースにアクセスするために設けられており、この中央のデータベースに、開ループ制御および／または閉ループ制御ユニットによって駆動ユニットを少なくとも開ループ制御および／または閉ループ制御するために処理可能である少なくとも１つの安全規定および／または運転範囲規定が記憶されている、ことが提案されている。従って、開ループ制御および／または閉ループ制御ユニットは、好適な形式で、少なくとも持ち運び可能な工作機械の駆動ユニットを、少なくともインフラストラクチャーの範囲の安全規定および／または運転範囲規定に依存して開ループ制御および／または閉ループ制御するために設けられている。この場合、特に場所、例えば持ち運び可能な工作機械がインフラストラクチャー内で使用されるグローバルな位置を考慮することができる。また、開ループ制御および／または閉ループ制御ユニットは、持ち運び可能な工作機械の別の機能、例えば安全機能（キックバック機能等）を、インフラストラクチャーの範囲の少なくとも１つの安全規定および／または運転範囲規定に依存して、開ループ制御および／または閉ループ制御するために設けられていることが考えられる。また、例えばインフラストラクチャーの外でデジタル式の安全規定および／または運転範囲規定ラスタによってＧＰＳデータに基づいてカバーされている工事現場等の場所が考えられる。この安全規定および／または運転範囲規定ラスタによって、インフラストラクチャーの外の場所のための安全規定および／または運転範囲規定の割り当てが得られる。
【００１２】
概念「中央のデータベース」は、ここでは特に、例えば建物管理、安全管理等の管理原理によって中央で世話および／または管理されるデータベースと定義されるべきである。好適には、中央のデータベースには、特に、インフラストラクチャーの少なくとも１つの領域、特に工場敷地の領域、作業場所の領域等のための特別な規則、義務、潜在的危険性、安全カテゴリー等を規定するデータ、特に電子データが記憶されている。インフラストラクチャー内、特に工場敷地のインフラストラクチャー内には、様々な潜在的危険性を有する実験室、作業場、事務所等が存在する。この場合、特にファシリティマネージメント（ＦＣＭ）は、インフラストラクチャーの個別の領域および／または技術的な装置に対して責任がある。好適な形式で、インフラストラクチャーの個別の領域および／または技術的な装置のために、“Ｈｅａｌｔｈ  ａｎｄ  Ｓａｆｅｔｙ  Ｅｎｇｉｎｅｅｒｓ”「保健および安全性技術士」（ＨＳＥ）による定期的な危険性判定が行われる。従って、好適な形式で、インフラストラクチャーの個別の構成部分、例えば個別の実験室、個別の作業場および／または個別の事務所等に、特別な規則、義務、安全性カテゴリー等が割り当てられる。例えば、高度から非常に高度までの安全性基準が維持されるべきであることを意味する割り当てが行われてよい。この場合、例えばインフラストラクチャーの個別の領域内、特に所定の室内に、爆発防止が適用されてよい。従って、好適な形式で、これらの領域内では、例えば火花が発生し得る領域では作業が禁止されているか、または所定の工作機械だけが作業の実施を許可されている。さらに、中程度からより低度までの安全基準を有する割り当てが考えられる。また、振動限界および／または騒音限界に該当する追加的または選択的な割り当てが考えられる。
【００１３】
好適には、中央のデータベースは、定期的な時間間隔で更新され、特にファシリティマネージメントのスタッフによっておよび／または保健および安全性技術士（ＨＳＥ）によって更新される。この場合、好適な形式で、インフラストラクチャーの個別の領域、例えば個別の室、実験室、作業場等のために危険性判定が実施される。このような危険性判定によって、相応の電子データが中央のデータベースにメモリー可能であり、これらの電子データは、危険性の程度に応じて、インフラストラクチャーの個別の領域に、持ち運び可能な工作機械を利用するためのおよび／または運転するための利用特性値および／または運転特性値、例えば所定の動作規則の維持、個人的な保護装備（ＰＳＡ）の存在、アクセス許可システムの確定、拡張された構成または指示の提示義務を予め設定する。従って、本発明の構成によって、好適には、使用者の高い安全性が得られる。何故ならば、開ループ制御および／または閉ループ制御ユニットによって、安全規定および／または運転範囲規定の自動的な算入が行われるからである。従って、好適には、持ち運び可能な工作機械の、場所および／または規定に依存した開ループ制御および／または閉ループ制御が得られる。また、追加的または選択的に中央のデータベースと通信するために、作業員および／または使用者が身に着けている作業服、特に個人的な保護装備（ＰＳＡ）の少なくとも１つのセンサユニットとの通信、特にデータ交換が行われることが考えられる。従って、好適には、持ち運び可能な工作機械の安全機能がさらに高められる。特に好適には、表示、アクティブな警告、持ち運び可能な工作機械の運転中止等に基づいて、危険状況の確実な検知が可能である。従って、持ち運び可能な工作機械の作業員は、好適な形式で、危険性および／または怪我に対して保護され得る。
【００１４】
好適な形式で、開ループ制御および／または閉ループ制御ユニットは、周囲センサユニットによって検出された、工作機械のエミッション値として構成された少なくとも１つの周囲特性値に少なくとも依存して、駆動ユニットを開ループ制御および／または閉ループ制御するために設けられている。このために、周囲センサユニットは、好適な形式で少なくとも１つの周囲センサ素子を有しており、この周囲センサ素子は、ダスト発生を検出、特に光学的に検出するために設けられている。この場合、最大許容ダスト発生特性値は、工作機械装置が通信ユニットによってアクセスするネットワーク、特に内部の会社ネットワーク、インターネットネットワークその他、または開ループ制御および／または閉ループ制御ユニットの記憶装置にメモリーされていてよい。開ループ制御および／または閉ループ制御ユニットは、検出された工作機械のエミッション特性値を、ネットワーク内または記憶装置内にメモリーされた最大許容ダスト発生特性値と比較する。この場合、吸塵器の吸引能力は、工作機械の検出されたエミッション特性値に応じて開ループ制御および／または閉ループ制御されることが考えられる。また、少なくとも駆動ユニットは、工作機械の検出されたエミッション特性値に依存して開ループ制御および／または閉ループ制御される。さらに、検出されたエミッション特性値に依存して、情報アウトプットユニットによって、情報、例えばより強力な吸塵器の使用に関する指摘またはフィルタ交換の指摘等がアウトプット可能である。この場合、周囲センサ素子は、工作機械装置の通信ユニットによって電子データを工作機械装置と交換する外部のセンサユニットの構成部分であってもよい。また、周囲センサユニットは、工作機械装置のグローバルな位置を検出するために設けられた少なくとも１つの周囲センサ素子を有している。また、周囲センサユニットは、工作機械の騒音エミッションを検出するために設けられた少なくとも１つの周囲センサ素子を有している。好適には、検出されたグローバルな位置を開ループ制御および／または閉ループ制御ユニットの記憶装置にメモリーされたデータと比較することによって、工作機械装置が騒音に弱い領域内に存在するかどうかが検知され得る。この場合、開ループ制御および／または閉ループ制御ユニットは、検出された騒音エミッションに依存して駆動ユニットを開ループ制御および／または閉ループ制御する。この場合、騒音限界値を越えないようにするために、例えば駆動ユニットの最大回転数、打撃回数、打撃エネルギ等が予め規定された値に減少される。選択的に、騒音エミッション、特に固体伝播音が、外部のセンサユニットによって検出可能である。本発明の構成によって、好適には確実な吸塵が保証される。また、作業員は好適には、大量のダストを吸い込むことによる健康障害に対して保護され得る。さらに、好適には、第三者のための騒音被害は僅かである。
【００１５】
また、開ループ制御および／または閉ループ制御ユニットは、駆動ユニット用センサユニットによって検出された少なくとも１つの駆動ユニット特性値に少なくとも依存して、工作機械の工具収容部に配置された加工工具の加工工具位置を算出するために設けられている、ことが提案される。この場合、例えば駆動ユニットの可動子の位置が、駆動ユニット用センサユニットの位置センサ素子によって検出される。これによって、好適には、加工工具は所望の位置で停止され得る。好適には、より高い作業員快適性が得られる。
【００１６】
好適な形式で、工作機械装置は、少なくとも１つの作業範囲照明ユニットを有しており、この作業範囲照明ユニットは、周囲センサユニットによって検出された少なくとも１つの周囲特性値に依存して、開ループ制御および／または閉ループ制御ユニットによって開ループ制御可能および／または閉ループ制御可能である。このために、周囲センサユニットは好適には少なくとも１つの周囲光センサ素子を有しており、この周囲光センサ素子は、少なくとも１つの光特性値、例えば明るさ、照明範囲、強さ等を検出するために設けられている。本発明によれば、好適な形式で作業範囲の照明および／または作業範囲の明るさが、周囲光センサ素子によって検出される。この場合、作業範囲照明ユニットは好適な形式で、開ループ制御および／または閉ループ制御ユニットによって、作業範囲の検出された照明および／または作業範囲の明るさに依存して、予め調整された照明値（作業範囲のための使用者特有の設定値が使用者によってデータベースに記憶されている）が開ループ制御可能および／または閉ループ制御可能である。しかしながら、通信ユニットによって開ループ制御および／または閉ループ制御ユニットと通信することによって、作業範囲照明ユニットを開ループ制御および／または閉ループ制御するために、外部のセンサユニットが設けられていることも考えられる。これによって、作業範囲照明ユニットは、好適には周囲の明るさに適合させられるので、周囲の明るさが変化しても、作業範囲は同じ明るさで照明される。
【００１７】
さらに、少なくとも１つの加工工具特性値を検出するための少なくとも１つの加工工具センサユニットを有する工作機械装置が提案されており、この加工工具特性値は、駆動ユニットを少なくとも開ループ制御および／または閉ループ制御するために、かつ／または開ループ制御および／または閉ループ制御ユニットの作業員に情報提供するために処理可能である。加工工具センサユニットは好適な形式で、工具収容部内に配置された加工工具の少なくとも１つの加工工具特性値を検出するために設けられている。工具収容部は好適な形式で、工作機械装置を有する工作機械の構成部分である。しかしながら、工具収容部が工作機械装置の構成部分であることも考えられる。この場合、加工工具特性値は、加工工具質量として、加工工具寸法として、加工工具振動として、加工工具速度として、加工工具回転数として、加工工具慣性として、加工工具種類として、加工工具温度として、加工工具汚れ程度として、加工工具切刃摩耗として、加工工具位置、特に工具収容部内の加工工具位置として、またはその他の、当業者にとって有意義であるとみなされた加工工具特性値として構成されていてよい。加工工具センサユニットは、少なくとも１つの加工工具特性値を検出するための少なくとも１つの加工工具センサ素子を有している。この場合、加工工具センサ素子は、加工工具質量センサとして、加工工具寸法センサとして、加工工具振動センサとして、加工工具速度センサとして、加工工具回転数センサとして、加工工具慣性センサとして、加工工具種類センサとして、加工工具温度センサとして、加工工具汚れ程度センサとして、加工工具切刃摩耗センサとして、またはその他の、当業者にとって有意義であるとみなされた加工工具センサ素子として構成されていてよい。
【００１８】
好適な形式で、開ループ制御および／または閉ループ制御ユニットによって、駆動ユニットの無負荷回転数への少なくとも加速時に、少なくとも１つの駆動ユニット特性値および／または少なくとも１つの加工工具特性値が算出可能である。この場合、好適には、加速度センサとして構成された少なくとも１つの加工工具センサ素子によって、加工工具の振動が検出可能であり、この場合、検出された信号は開ループ制御および／または閉ループ制御ユニットによって評価可能である。さらに、好適な形式で、光学センサ（カメラ、赤外線センサその他）または間隔センサとして構成された少なくとも１つの別の加工工具センサ素子によって、加工工具特性値が検出可能であり、この加工工具特性値は、開ループ制御および／または閉ループ制御ユニットによって加工工具寸法を決定するために処理可能である。また、好適には、駆動ユニットセンサ素子によって、無負荷回転数への駆動ユニットの加速時にモータ電流が検出可能であり、このモータ電流は、開ループ制御および／または閉ループ制御ユニットによって加工工具の慣性を決定するために処理可能である。さらに、検出された少なくとも１つの加工工具特性値を用いて、加工工具の加工工具種類が、開ループ制御および／または閉ループ制御ユニットによって決定可能であり、この場合、駆動ユニットを開ループ制御および／または閉ループ制御するためのパラメータが加工工具に関連して変えられるようになっている。これらのパラメータは、例えばアングルグラインダーとして構成された持ち運び可能な工作機械において特殊鋼加工工具が検知された場合の特殊鋼使用のための回転数の調整、研磨加工工具が検知された場合のソフトスタート、または切断加工工具、例えばアングルグラインダーとして構成された持ち運び可能な工作機械における切断砥石が検知された場合の持ち運び可能な工作機械のブレーキ機能の作動等である。追加的に、加工工具センサユニットによって少なくとも１つの加工工具特性値を検出するために、少なくとも１つの加工工具特性値をＲＦＩＤ，バーコード、データ行列コード等によって伝送することも考えられる。これによって、好適には、加工工具種類を明確に識別することができ、この加工工具種類に対して、開ループ制御および／または閉ループ制御ユニットの記憶装置内に加工工具特有のパラメータが記憶されており、これらのパラメータは、加工工具センサユニットによる少なくとも１つの加工工具特性値の検出に従って、開ループ制御および／または閉ループ制御ユニットによって、例えば摩耗程度、アンバランス程度その他に適合させることができる。
【００１９】
開ループ制御および／または閉ループ制御ユニットと、駆動ユニット用センサユニットおよび／または加工工具センサユニットとの間の電子データ交換は、好適には電線接続により行われる。工作機械装置の選択的な実施態様によれば、開ループ制御および／または閉ループ制御ユニットと、駆動ユニット用センサユニットおよび／または加工工具センサユニットとの間の電子データ交換は、例えばブルートゥース（登録商標）接続、ＷＬＡＮ接続、ＮＦＣ接続、赤外線接続等により、無線で行われる。開ループ制御および／または閉ループ制御ユニットは、特に好適には、駆動ユニット用センサユニットにより検出された駆動ユニット特性値に少なくとも依存して、および加工工具センサユニットにより検出された加工工具特性値に依存して、駆動装置を開ループ制御および／または閉ループ制御する。開ループ制御および／または閉ループ制御ユニットによって駆動ユニットを開ループ制御および／または閉ループ制御するために考慮され得る、当業者により有意義であるとみなされたその他の特性値が、同様に考えられる。
【００２０】
工作機械装置の本発明の実施態様によって、好適には、特に工作物が加工工具で加工される前に、加工工具の損傷が検知され得る。好適には、例えば振動を検出することができ、この振動が危険な値を越え、かつ／または駆動ユニットの開ループ制御および／または閉ループ制御が損傷した加工工具に適合されるべきであるときに、相応の警告が作業員に提供される。これによって、好適には、作業員が負傷する危険性は低く抑えられる。またこれによって、好適には、許容できない加工工具または誤って取り付けられた加工工具を検知することができる。従って作業員に、加工工具の破損の危険性を、例えば好適には早期に指摘することができる。従って好適には、高い作業員安全性が得られる。
【００２１】
さらに、工作機械装置は、工作機械の工具収容部を、加工工具センサユニットによって検出された少なくとも１つの加工工具特性値に少なくとも依存して操作および／または係止するための少なくとも１つのアクチュエータユニットを有していることが提案される。この場合、好適には、加工工具センサユニットによって、加工工具位置として構成された加工工具特性値が検出され、この加工工具特性値は、開ループ制御および／または閉ループ制御ユニットによってアクチュエータユニットを開ループ制御および／または閉ループ制御するために処理可能である。本発明の実施態様によれば、好適には、工作機械装置を有する工作機械の快適な操作性が得られる。これによって、好適には、より高い操作快適性が得られる。
【００２２】
また、工作機械装置は、少なくとも１つの工作物特性値を検出するための少なくとも１つの工作物センサユニットを有しており、この工作物特性値は、駆動ユニットを少なくとも開ループ制御および／または閉ループ制御するために、および／または開ループ制御および／または閉ループ制御ユニットの作業員に情報提供するために処理可能である。好適には、工作物センサユニットは、工作物の少なくとも１つの材料を検出するために設けられている。また、工作物センサユニットは追加的にまたは選択的に、工作物の厚さ、工作物収容部内に配置された加工工具に対して相対的な工作物の間隔、工作物の寸法、工作物の位置、および／またはその他の、当業者にとって有意義であるとみなされた工作物特性値を検出するために設けられている。従って、好適には、加工しようとする工作物、および工作物収容部内に配置された加工工具に適合された、駆動ユニットの開ループ制御および／または閉ループ制御が行われる。これによって、好適には、工作物の正確な加工が可能である。また、好適にはより高い加工技術の上達が可能である。好適には、少なくとも１つの工作物特性値の検出によって、工作物の加工時の挙動を推測することができる。それによって、好適には、工作物の加工時の破損の危険性に関する高い安全性が得られる。
【００２３】
さらに、工作機械装置が、少なくとも１つの工作機械付属品特性値を検出するための少なくとも１つの工作機械付属品センサユニットを有することが提案されており、この工作機械付属品センサユニットは、駆動ユニットを少なくとも開ループ制御および／または閉ループ制御するために、かつ／または開ループ制御および／または閉ループ制御ユニットの作業員に情報提供するために処理可能である。ここでは、「工作機械付属品センサユニット」とは、特に、工作機械装置を有する工作機械に取り付け可能な少なくとも１つの工作機械付属品の特性値を検出するセンサユニットであると解釈されるべきである。この場合、工作機械付属品特性値は、例えば付属品の取り付け状態特性値のような付属品状態特性値、摩耗状態特性値、付属品位置特性値、付属品機能特性値、付属品寸法特性値等として構成されていてよい。これによって、好適には、開ループ制御および／または閉ループ制御ユニットによる駆動ユニットの開ループ制御および／または閉ループ制御時に、組み付けられた付属品を考慮することができる。例えば、好適には、間違った、欠陥のあるおよび／または摩耗した付属品に関する情報提供が作業員に対して行われ、かつ／または開ループ制御および／または閉ループ制御パラメータ、例えば回転数、電力供給、電圧供給等を好適には適合させることができる。
【００２４】
さらに、本発明による工作機械装置を備えた工作機械、特に持ち運び可能な工作機械が提案されている。特に好適には、工作機械は持ち運び可能な工作機械として構成されている。ここでは、「持ち運び可能な工作機械」とは、特に、運搬装置なしで作業員によって運ぶことができる、工作物を加工するための工作機械であると解釈されるべきである。持ち運び可能な工作機械は、特に４０ｋｇよりも小さい、好適には１０ｋｇよりも小さい、特に好適には５ｋｇよりも小さい質量を有している。この場合、持ち運び可能な工作機械は好適な形式で、アングルグラインダーとして構成されている。選択的な実施態様では、持ち運び可能な工作機械はハンマドリルおよび／またはチゼルハンマとして構成されている。別の選択的な実施態様では、持ち運び可能な工作機械は引き回し鋸として構成されている。しかしながら、持ち運び可能な工作機械は、当業者にとって有意義であるとみなされた別の形態、例えばコードレススクリュードライバ機械、打撃穿孔機械、研削機、丸鋸機械、ダイアモンドドリル機械、チェーンソー、サーベル型鋸、平削り盤、ガーデン工作機械等としての形態も考えられる。工作機械の本発明の実施態様によって、好適な形式で使用条件に適合させることができる。さらに、好適な形式で、作業員に個別に調整された工作物の加工が可能である。これによって、好適な形式で、工作物の精確かつ能力的に最適な加工が可能である。また、好適には、工作物の加工時における作業員の高い安全性が保証され得る。さらに、好適には、高い操作快適性が得られる。
【００２５】
さらに、少なくとも１つの本発明による工作機械および少なくとも１つの外部ユニット、特に外部のセンサユニットを備えた工作機械システムが提案される。外部ユニットは、好適な形式で、工作機械システムの１実施態様では、外部の騒音エミッションセンサユニットとして構成されている。騒音測定が実現可能であり、この騒音測定によって、所定の騒音限界値を越えると、例えば駆動ユニットの回転数低下が行われる。この場合、外部ユニットは例えばスマートフォンとして構成されていてよい。また、外部ユニットは、工作機械システムの選択的な実施態様では、外部の飛火検出ユニットとして構成されている。これによって、好適には、加工工具、材料および／または使用目的に依存して、駆動ユニットの回転数が、開ループ制御および／または閉ループ制御ユニットによって火花の最大飛火幅に閉ループ制御可能であることによって、検出された飛火に依存して最大飛火幅を調節することができる。このために、飛火が例えば光学式に検出可能であり、回転数が飛火幅を変えるために適合可能である。これによって、好適には、騒音被害および／または損傷が避けられ、かつ／または減少される。
【００２６】
また、少なくとも１つの本発明による工作機械、特に持ち運び可能な工作機械を開ループ制御および／または閉ループ制御するための方法が提案されており、この場合、開ループ制御および／または閉ループ制御ユニットは、工作機械による少なくとも１つの周囲の影響を算出し、この工作機械による周囲の影響を、工作機械の駆動ユニットを少なくとも開ループ制御および／または閉ループ制御するために考慮する。これによって、好適には、周囲に依存して運転パラメータを適合させることができる。好適には、エミッション限界を維持することができる。本発明の方法によって、好適には、工作機械の運転パラメータおよび／または運転モードの少なくとも概ね自動的な調節が可能である。
【００２７】
さらに、前記方法は、開ループ制御および／または閉ループ制御ユニットが、少なくとも１つの運転モードで工作機械の工具収容部を少なくとも部分的に自動的に開放および／または閉鎖する、少なくとも１つの方法ステップを有することが提案される。好適には、より高い操作快適性が実現され得る。また、これによって、好適には、片手工具交換の可能性が提供され得る。
【００２８】
さらに、開ループ制御および／または閉ループ制御ユニットが、特に、持ち運び可能な工作機械の少なくとも１つの運転モードで、少なくとも部分的に自動的に通信ユニットによって中央のデータベースにアクセスし、この中央のデータベースに、開ループ制御および／または閉ループ制御ユニットによって駆動ユニットを少なくとも開ループ制御および／または閉ループ制御するために処理可能である少なくとも１つの安全規定および／または運転範囲規定が記憶されているように提案される。好適には、開ループ制御および／または閉ループ制御ユニットは、中央のデータベースに記憶された安全規定および／または運転範囲規定を自動的に評価し、この安全規定および／または運転範囲規定を持ち運び可能な工作機械の開ループ制御および／または閉ループ制御のために自動的に解釈する。特に好適には、通信ユニットによる中央のデータベースのアクセスに加えて、通信ユニットによって少なくとも１つの外部ユニットと電子データを交換可能である。これによって、好適な形式で、工作機械装置を有する持ち運び可能な工作機械と別の外部ユニットとの間のデータ交換、例えば工作機械装置を有する持ち運び可能な工作機械と、作業服のセンサユニット、スマートフォン、ラップトップ、ＰＣ、ハンドヘルド、タブレット、サーバー等との間のデータ交換が行われる。この場合、好適には、特に、工作機械装置のセンサユニットによって検出された特性値および／または通信ユニットによって伝送されたデータが交換可能であり、かつ／または工作機械装置を有する持ち運び可能な工作機械を開ループ制御および／または閉ループ制御するために利用可能である。この場合、通信ユニットは、有線および／または無線のインターフェースおよび／または通信プロトコルを有していてよく、かつ／または利用することができる。インターフェースおよび／または通信プロトコルは、例えばＵＳＢ、Ｃａｎｂｕｓ、特にツイストペア線を備えたイーサネット（登録商標）（ＣＡＴ５またはＣＡＴ６）、光学式の伝送媒体、ＫＮＸ、電力線、ＮＦＣ（近距離通信）、ＲＦＩＤ（近距離通信）、Ｚｉｇｂｅｅ（近距離通信）、特に４．０低エネルギ（短い到達距離）規格に基づくブルートゥース（登録商標）、特に８０１．１１ｎ（中間の到達距離）規格に基づくＷＬＡＮ、特に長い到達距離のためのＧＳＦまたはＬＴＥ（移動通信網）等として構成されていてよい。好適な形式で、外部ユニット、特にスマートフォンはルーターとして構成されており、このルーターは、少なくとも工作機械装置の通信ユニットと、中央のデータベースおよび／または別の外部ユニットとの間の仲介箇所として設けられている。この場合、好適には個別に適合された会社スマートフォンが使用される。本発明の実施態様によれば、好適には、少なくとも駆動ユニットを開ループ制御および／または閉ループ制御するために、安全規定および／または運転範囲規定が少なくとも部分的に自動的に考慮される。これによって、好適には、高い操作快適性および安全機能の確実な維持が保証される。
【００２９】
さらに、開ループ制御および／または閉ループ制御ユニットは、駆動ユニットを少なくとも開ループ制御および／または閉ループ制御するために、工作機械センサにより検出されたデータおよび／または通信ユニットにより伝送されたデータを利用するように提案される。好適には、開ループ制御および／または閉ループ制御ユニットにより駆動ユニットを開ループ制御および／または閉ループ制御するために利用可能な、工作機械センサにより検出されたデータは、工作機械装置の少なくとも１つのセンサユニット、特にすべてのセンサユニットによって検出可能である。好適な形式で、通信ユニットにより伝送されたデータは、通信ユニットによって外部ユニットおよび／または中央のデータベースから開ループ制御および／または閉ループ制御ユニットに伝送可能である。この場合、通信ユニットにより伝送されたデータは、例えば作業服の少なくとも１つのセンサユニットによって検出可能であり、通信ユニットによって受信可能であり、かつ／または通信ユニットによって直接的に中央のデータベースから読み取り可能であることが考えられる。工作機械装置および／または外部ユニットのセンサユニットは、好適な形式で、少なくとも１つの特性値を検出するためにそれぞれ少なくとも１つのセンサ素子を有している。この場合、センサ素子は、例えば位置センサ（室内の位置を検出するための磁界センサ等）、運動センサ（速度センサ、加速度センサ、回転角速度センサ等）、ＧＰＳセンサ（地表上のＸ，Ｙ，Ｚ）、圧力センサ（抵抗ひずみ計等）、ガスセンサ（ＣＯ２センサ；一酸化炭素センサ等）、温度センサ、電圧センサ、湿度センサ、ｐＨ値センサ、空気圧センサ（バロメータ）、パルスセンサ等として構成されていてよい。本発明の実施態様によれば、好適には、持ち運び可能な工作機械を開ループ制御および／または閉ループ制御するために、場所に依存した安全規定および／または運転範囲規定が考慮され、さらに工作機械センサによって検出されたおよび／または通信ユニットを介して伝送されたデータを算入することができる。これによって、好適には、高い作業安全性が保証され得る。
【００３０】
さらに、開ループ制御および／または閉ループ制御ユニットは、工作機械センサによって検出されたデータおよび／または通信ユニットを介して伝送されたデータに依存して、少なくとも１つの情報を情報アウトプットユニットによってアウトプットすることが提案される。これによって、好適には、例えばインフラストラクチャーの範囲への侵入管理について作業員に知らせるために、作業員に情報を提供することができる。これによって、好適な形式で、インフラストラクチャーの範囲へのアクセスコントロールが実現可能である。この場合、例えば中央のデータベース内に記憶された火災防止規定は、作業員が定められた持ち運び可能な工作機械を持って決められた室内に、許可証を伴ってのみまたは消防隊を同行してのみ作業が許可されるように管理することが考えられる。また好適には、持ち運び可能な工作機械の使用場所の直ぐ近くおよび／または周囲で危険にさらされた人間に、視覚的および／または聴覚的な信号によって警告することが可能である。
【００３１】
また、開ループ制御および／または閉ループ制御ユニットは、工作機械の少なくとも１つの運転モード調節を、工作機械センサにより検出されたデータおよび／または通信ユニットにより伝送されたデータに依存して、開ループ制御および／または閉ループ制御することが提案される。これによって、好適には、工作機械装置を有する持ち運び可能な工作機械の最適な運転が得られる。
【００３２】
開ループ制御および／または閉ループ制御ユニットは、工作機械センサにより検出されたデータおよび／または通信ユニットにより伝送されたデータを、工作機械装置を有する持ち運び可能な工作機械を開ループ制御および／または閉ループ制御するために解釈し、組み合わせかつ／または評価する。データを中央のデータバンクに伝送することによって、好適な形式で、作業の少なくとも部分的に自動的な、ファシリティマネージメントのスタッフによって検出可能および／または記録可能な作業信頼性報告が作成可能であることが考えられる。これによって、好適には、誰が、いつ、どの位長く、どんな種類の持ち運び可能な工作機械によって、どの場所で作業したかが記録され得る。損傷および／または事故が発生すると、好適には、自動的に作成されたプロトコルが後で、注意義務を順守したことの証明のために考慮される。
【００３３】
保健および安全性技術士（ＨＳＥ）および／またはファシリティマネージメント（ＦＣＭ）による潜在的な危険性、安全および／または運転範囲規定等の決定に従って、インフラストラクチャーの室、実験室、作業場のために、中央のデータベースに相応の電子データが記憶される。工作機械装置を有する持ち運び可能な工作機械と中央のデータベースとの通信によって、例えばＧＰＳ座標の位置測定によって、どの持ち運び可能な工作機械がインフラストラクチャー内のどこに位置するかを検知することができる。特に、追加的な作業員データ伝送において、特にどの程度の訓練レベルを有する作業員が、どのような形式の持ち運び可能な工作機械を持ってどこにいるかを検知することができる。これによって、好適には、このような持ち運び可能な工作機械が禁止されているインフラストラクチャーの範囲内に、持ち運び可能な工作機械が運び込まれたことを検出することができ、持ち運び可能な工作機械は運転開始をロックすることができ、作業員に情報を提供することができ、かつ／または保健および安全性技術士（ＨＳＥ）および／またはファシリティマネージメント（ＦＣＭ）に報告することができる。好適には、立ち入り監視が行われる。好適には、インフラストラクチャーのどの範囲で持ち運び可能な工作機械の使用が許可され、作業員が使用権限に関する証明を提出する必要があるかどうかを監視および／または調査することができる。これによって、好適には、一人作業に関する閉ループ制御の監視を行うことができ、かつ／または工作機械装置のセンサユニットと組み合わせて作業服の少なくとも１つのセンサ素子による自動的な一人作業監視を行うことができる。
【００３４】
さらに、中央のデータベースに、例えば保健および安全性技術士（ＨＳＥ）および／またはファシリティマネージメント（ＦＣＭ）によって、周囲条件のための限界値、例えば温度限界値、空気および／またはガス濃度限界値を決定する電子データが記憶されることが考えられる。中央のデータベースからの電子データの伝送、および工作機械センサにより検出されたデータの中央のデータベースへの伝送に基づいて、好適には、限界値の維持の監視および／または証明が可能である。
【００３５】
さらに、通信ユニットによって伝送された電子データにより、使用権限の調整を行うことが考えられる。この場合、持ち運び可能な工作機械の運転開始を可能にするために、中央のデータベースに記憶された作業員識別プロファイルの調整による、またはインプット（チップカード、ＲＦＩＤチップ等）による、作業員の訓練証明および／または練習証明が考えられる。運転開始が正しい証明なしに行われると、持ち運び可能な工作機械は例えばロック可能であるか、または例えば情報アウトプットユニットによる警告がアウトプット可能であるか、またはガイドセンターに通知可能である。
【００３６】
また、通信ユニットによって、持ち運び可能な工作機械のデータ、例えば運転時間、振動、蓄電池容量、冷却ユニット出力、モータ出力等が、作業員側のユニット、例えばユーザーインターフェース、腕時計、スマートフォン、データ眼鏡等に伝送可能であることも考えられる。さらに、持ち運び可能な工作機械のデータは、例えば限界値の維持を監視できるようにするために、中央のデータベースに伝送可能である。また、例えばインフラストラクチャー内にいる別の会社のスタッフが監視可能である。従って、例えば他の会社のスタッフの作業場所および／または作業時間が記録可能である。さらに、通信ユニットによる電子データの伝送により、開ループ制御および／または閉ループ制御ユニットによって、好適な形式で作業員プロファイルが調整され得る。この場合、好適な形式で、開ループ制御および／または閉ループ制御ユニットによって自動的に、通信ユニットによるデータの伝送時に、持ち運び可能な工作機械の設定、例えば資格設定、好適なモータ特性曲線の設定、安全機能（キックバック機能その他）の応答特性の設定等が行われる。
【００３７】
また、特に、中央のデータベースからの電子データの調整、工作機械センサにより検出されたデータの調整、および作業員の作業服の少なくとも１つのセンサユニットにより検出されたデータの調整に基づいて、例えばヘルメット、少なくとも１つの手袋、少なくとも１つの保護眼鏡、安全靴、作業ズボン等を有する個人的な保護装備（ＰＳＡ）の着用義務の自動的な監視、および／または持ち運び可能な工作機械の使用場所制限の監視が得られる。この場合、作業員の少なくとも１つの生命特性値が作業員にとって危険な値に達すると直ちに、ガイドセンターからインフラストラクチャーの範囲内の持ち運び可能な工作機械の緊急遮断が指示されることが考えられる。
【００３８】
また、好適には、中央のデータベースからの電子データの伝送によって、持ち運び可能な工作機械のための中央のアップデート機能が許可され得る。さらに、好適には、定期的なメンテナンス、例えばカーボン交換がガイドセンターに伝送され得る。
【００３９】
この場合、本発明による工作機械装置、本発明による工作機械および／または本発明による方法は、前記使用例および実施例に限定されるものではない。特に本発明による工作機械装置、本発明による工作機械および／または本発明による方法は、ここに記載された機能形式を満たすために、ここに挙げられた個別の部材、構成部分、ユニットおよび／または方法ステップの数とは異なる数を有していてよい。
【図面の簡単な説明】
【００４０】
【図１】少なくとも１つの本発明による工作機械装置を備えた、アングルグラインダーとして構成された本発明による工作機械の概略図である。
【図２】本発明による工作機械装置の概略図である。
【図３】選択的な本発明による工作機械装置の概略図である。
【図４】本発明による工作機械装置を備えた、ハンマドリルおよび／またはチゼルハンマとして構成された、選択的な本発明による工作機械の概略図である。
【図５】本発明による工作機械装置を備えた、コードレススクリュードライバとして構成された、別の選択的な本発明による工作機械の概略図である。
【図６】本発明による工作機械装置を備えた、引き回し鋸として構成された、別の選択的な本発明による工作機械の概略図である。
【発明を実施するための形態】
【００４１】
その他の利点は、以下の図面より得られる。図面には本発明の実施例が示されている。図面、明細書および請求項は、多くの特徴の組み合わせを含む。当業者は、これらの特徴を、好適な形式で個別のものとみなしてもよいし、有意義には別の組み合わせに組み合わせてもよい。
【００４２】
図１は、少なくとも１つの工作機械装置１０ａを有する工作機械３４ａを示す。工作機械３４ａは、持ち運び可能な工作機械として構成されている。この場合、工作機械３４ａは、アングルグラインダーとして構成されている。従って、工作機械３４ａは、保護カバーユニットとして構成された少なくとも１つの工作機械付属品ユニット３８ａを有している。さらに、工作機械３４ａは、少なくとも１つの工作機械ハウジング４０ａとメイングリップ４２ａとを有しており、このメイングリップ４２ａは、工作機械ハウジング４０ａの、加工工具４４ａとは反対側で、工作機械３４ａの主延在方向４６ａに延在している。この場合、加工工具４４ａは研削砥石として構成されている。加工工具４４ａは、切断砥石または研磨砥石として構成されていることも考えられる。工作機械ハウジング４０ａは、工作機械３４ａの駆動ユニット１６ａを収容するためのモータハウジング４８ａを有している。さらに、工作機械ハウジング４０ａは、工作機械３４ａの被駆動ユニット５２ａを収容するための伝動装置ハウジング５０ａを有している。駆動ユニット１６ａは、被駆動ユニット５２ａを介して加工工具４４ａを回転駆動するために設けられている。伝動装置ハウジング５０ａには、補助グリップユニットとして構成された別の工作機械付属品ユニット５４ａが配置されている。補助グリップユニットとして構成された工作機械付属品ユニット５４ａは、工作機械３４ａの主延在方向４６ａに対して直交する横方向に延在している。
【００４３】
工作機械装置１０ａは、手持ち式工作機械装置として構成されている。工作機械装置１０ａは、好適な形式でエネルギ供給装置８２ａ（図２）を有している。従って、工作機械装置１０ａは、工作機械３４ａのエネルギ供給とは無関係に駆動可能である。しかしながら、工作機械装置１０ａの選択的な構成では、工作機械装置１０ａは工作機械３４ａのエネルギ供給装置によってエネルギ供給可能であることも考えられる。工作機械装置１０ａはさらに、少なくとも１つの開ループ制御および／または閉ループ制御ユニット１２ａと、少なくとも１つの駆動ユニット特性値を検出するための少なくとも１つの駆動ユニット用センサユニット１４ａとを有しており、この駆動ユニット特性値は、少なくとも工作機械３４ａの駆動ユニット１６ａを開ループ制御および／または閉ループ制御するために、かつ／または開ループ制御および／または閉ループ制御ユニット１２ａの作業員に情報提供するために処理可能である。開ループ制御および／または閉ループ制御ユニット１２ａは、工作機械３４ａの少なくとも１つの運転モードで、駆動ユニット用センサユニット１４ａによって検出された少なくとも１つの駆動ユニット特性値に依存して、駆動ユニット１６ａを開ループ制御および／または閉ループ制御するために設けられている。
【００４４】
さらに、工作機械装置１０ａは、少なくとも１つの周囲特性値を検出するための少なくとも１つの周囲センサユニット１８ａを有しており、この周囲特性値は、少なくとも駆動ユニット１６ａを開ループ制御および／または閉ループ制御し、かつ／または開ループ制御および／または閉ループ制御ユニット１２ａの作業員に情報提供するために処理可能である。開ループ制御および／または閉ループ制御ユニット１２ａは、周囲センサユニット１８ａによって検出された少なくとも１つの周囲特性値に依存して、および駆動ユニット用センサユニット１４ａによって検出された少なくとも１つの駆動ユニット特性値に依存して、駆動ユニット１６ａを開ループ制御および／または閉ループ制御するために設けられている。この場合、周囲センサユニット１８ａは、室内での工作機械３４ａの配向を検出する少なくとも１つの位置センサ８４ａを有している。位置センサ８４ａは、好適な形式で３軸の運動センサとして構成されている。しかしながら、位置センサ８４ａは、当業者にとって有意義であるとみなされた別の形態を有することも考えられる。しかも、周囲センサユニット１８ａは少なくとも１つの現在位置特定センサ８６ａを有しており、この現在位置特定センサ８６ａは、工作機械３４ａのグローバルな位置を検出する。現在位置特定センサ８６ａは、好適な形式でＧＰＳセンサとして構成されている。しかし、現在位置特定センサ８６ａは、当業者にとって有意義であるとみなされた別の形態を有することも考えられる。さらに、周囲センサユニット１８ａは少なくとも１つのエミッションセンサ素子６８ａを有しており、このエミッションセンサ素子６８ａは、工作機械３４ａのエミッションを検出するために設けられている。この場合、エミッションセンサ素子６８ａは工作機械３４ａの騒音エミッションを検出するために設けられている。しかしながら、エミッションセンサ素子６８ａは、当業者にとって有意義であるとみなされた、工作機械３４ａの別のエミッション、例えば電磁放射、ダスト、火花、臭気、流体状の有害物質および／または固体有害物質を検出するために設けられていることも考えられる。従って、開ループ制御および／または閉ループ制御ユニット１２ａは、少なくとも周囲センサユニット１８ａによって検出された、工作機械３４ａのエミッション特性値として構成された周囲特性値に少なくとも依存して、駆動ユニット１６ａを開ループ制御および／または閉ループ制御するために設けられている。
【００４５】
工作機械装置１０ａはさらに、電子データを交換して駆動ユニット１６ａを少なくとも開ループ制御および／または閉ループ制御するために、少なくとも１つの外部ユニット２２ａと通信するための少なくとも１つの通信ユニット２０ａを有している。この場合、外部ユニット２２ａは少なくとも１つの音響センサ素子（ここに図示されていない）を有しており、この音響センサ素子は、工作機械３４ａの音響特性値を検出するために設けられている。この場合、外部ユニット２２ａは、工作機械３４ａの音響特性値を検出するために、工作機械３４ａに対して間隔を保って配置可能である。従って、工作機械３４ａの直接の加工位置に対して間隔を保っている工作機械３４ａの音響特性値が検出可能である。この場合、開ループ制御および／または閉ループ制御ユニット１２ａは、外部ユニット２２ａによって検出されかつ通信ユニット２０ａによって受信された、工作機械３４ａの音響特性値に少なくとも依存して、駆動ユニット１６ａの開ループ制御および／または閉ループ制御を考慮するために設けられている。従って、開ループ制御および／または閉ループ制御ユニット１２ａは、工作機械３４ａの少なくとも１つの運転モードにおいて工作機械３４ａによる少なくとも１つの周囲の影響を算出し、この工作機械３４ａによる周囲の影響を少なくとも、工作機械３４ａの駆動ユニット１６ａの開ループ制御および／または閉ループ制御に関連して考慮する。また、通信ユニット２０ａは、加工位置に配置された位置ネットワークと通信するために設けられている。この場合、例えば会社の敷地の位置にエミッション限度を割り当てる電子データが、開ループ制御および／または閉ループ制御ユニット１２ａに伝送可能である。開ループ制御および／または閉ループ制御ユニット１２ａは、位置にエミッション限度を割り当てる電子データを評価し、少なくとも現在位置特定センサ８６ａにより決定された工作機械３４ａのグローバルな位置に依存して、工作機械３４ａのエミッション特性値、例えば機械騒音その他をアクティブに変化させるために設けられている。この場合、さらに、開ループ制御および／または閉ループ制御ユニット１２ａは、別の特性値、例えば外部ユニット２２ａによって検出された、工作機械３４ａの音響特性値を考慮することが考えられる。このような音響特性値は、エミッションセンサ素子６８ａによって検出された、工作機械３４ａの騒音エミッションその他である。さらに、開ループ制御および／または閉ループ制御ユニット１２ａは、工作機械３４ａの少なくとも１つのエミッション運転モードで、工作機械３４ａの騒音エミッションを、通信ユニット２０ａを介して制御可能な外部の対向音響ユニットによる対向音響発生によって減衰するために設けられていることが考えられる。また、開ループ制御および／または閉ループ制御ユニット１２ａは、工作機械３４ａの少なくとも１つのエミッション運転モードで、駆動ユニット１６ａの回転数を低下させるためにおよび／または駆動ユニット１６ａの回転運動に、騒音その他を低減する追加的な運動を重畳させるために設けられていることが考えられる。さらに、当業者にとって有意義であるとみなされた、エミッション限度に関する別の実施態様が同様に考えられる。
【００４６】
さらに、開ループ制御および／または閉ループ制御ユニット１２ａは、通信ユニット２０ａによって中央のデータベースにアクセスするために設けられており、この中央のデータベースに、少なくとも１つの安全規定および／または運転範囲規定が記憶されていて、この安全規定および／または運転範囲規定は、開ループ制御および／または閉ループ制御ユニット１２ａによって駆動ユニット１６ａを少なくとも開ループ制御および／または閉ループ制御するために処理可能である。この場合、開ループ制御および／または閉ループ制御ユニット１２ａは、少なくとも１つの運転モードで、少なくとも部分的に自動的に通信ユニット２０ａによって中央のデータベースにアクセスし、この中央のデータベースに、開ループ制御および／または閉ループ制御ユニット１２ａによって駆動ユニット１６ａを少なくとも開ループ制御および／または閉ループ制御するために処理可能である少なくとも１つの安全規定および／または運転範囲規定が記憶されている。従って、開ループ制御および／または閉ループ制御ユニット１２ａは、駆動ユニット１６ａの少なくとも１つの開ループ制御および／または閉ループ制御のために、工作機械センサにより検出されたデータおよび／または通信ユニットを介して伝送されたデータを利用する。さらに、開ループ制御および／または閉ループ制御ユニット１２ａは、工作機械センサにより検出されたデータおよび／または通信ユニットを介して伝送されたデータに依存して、工作機械装置１０ａの情報アウトプットユニット３６ａによって、少なくとも１つの情報を、特に工作機械状態に関する作業員の情報および／または危険性の警告のためにアウトプットする。また、開ループ制御および／または閉ループ制御ユニット１２ａは、工作機械の少なくとも１つの運転モード調節を、通信ユニットを介して伝送されたデータに依存して開ループ制御および／または閉ループ制御する。
【００４７】
また、周囲センサユニット１８ａによって、工作物の加工時における飛火を検出することができる。周囲センサユニット１８ａによって検出された飛火特性に依存して、駆動ユニット１６ａは、開ループ制御および／または閉ループ制御ユニット１２ａによって開ループ制御可能および／または閉ループ制御可能である。この場合、飛火特性値は、例えば周囲センサユニット１８ａの光学センサ素子によって、および／または当業者によって有意義であるとみなされた、周囲センサユニット１８ａの別のセンサ素子によって検出可能である。
【００４８】
さらに、工作機械装置１０ａは、少なくとも１つの工作機械付属品特性値を検出するための少なくとも１つの工作機械付属品センサユニット３２ａを有しており、この工作機械付属品特性値は、駆動ユニット１６ａを少なくとも開ループ制御および／または閉ループ制御するために、かつ／または開ループ制御および／または閉ループ制御ユニット１２ａの作業員に情報提供するために処理可能である。開ループ制御および／または閉ループ制御ユニット１２ａは、工作機械３４ａの少なくとも１つの運転モードで、駆動ユニット用センサユニット１４ａによって検出された少なくとも１つの駆動ユニット特性値と、周囲センサユニット１８ａによって検出された少なくとも１つの周囲特性値と、工作機械付属品センサユニット３２ａによって検出された少なくとも１つの工作機械付属品特性値とに依存して、駆動ユニット１６ａを開ループ制御および／または閉ループ制御するために設けられている。
【００４９】
さらに、工作機械装置１０ａは、少なくとも１つの加工工具特性値を検出するための少なくとも１つの加工工具センサユニット２４ａを有しており、この加工工具特性値は、駆動ユニット１６ａを少なくとも開ループ制御および／または閉ループ制御するために、かつ／または開ループ制御および／または閉ループ制御ユニット１２ａの作業員に情報提供するために処理可能である。このために、加工工具センサユニット２４ａは、少なくとも１つの加工工具センサ素子７０ａ，７２ａ，７６ａを有している。この場合、開ループ制御および／または閉ループ制御ユニット１２ａは、少なくとも１つの練習開始運転モードで、駆動ユニット用センサユニット１４ａによって検出された少なくとも１つの駆動ユニット特性値と、加工工具センサユニット２４ａによって検出された少なくとも１つの加工工具特性値と、周囲センサユニット１８ａによって検出された少なくとも１つの周囲特性値と、工作機械付属品センサユニット３２ａによって検出された少なくとも１つの工作機械付属品特性値とに依存して、駆動ユニット１６ａを少なくとも部分的に自動的に開ループ制御および／または閉ループ制御するために設けられている。練習開始運転モードは、工作機械３４ａの始動後に自動的に、無負荷回転数が得られるまで作動する。加工工具センサユニット２４ａの少なくとも１つの慣性センサ５６ａ、加工工具センサユニット２４ａの少なくとも１つのトルクセンサ５８ａおよび／または駆動ユニット用センサユニット１４ａの電流センサ６０ａを介して、加工工具４４ａのフライホイールマスは、開ループ制御および／または閉ループ制御ユニット１２ａによって算出可能である（図２）。慣性センサ５６ａは、好適な形式で３軸の加速度センサとして構成されている。開ループ制御および／または閉ループ制御ユニット１２ａの記憶装置（ここには図示されていない）内にメモリーされた少なくとも１つの特性マップを介して、算出されたフライホールマスは、所定の加工工具型式に明確に割り当て可能である。また、別の加工工具特性値の検出を、追加的にＲＦＩＤ、ＮＦＣ、バーコードのスキャン、ＤａｔａＭａｔｒｉｘ−Ｃｏｄｅ（データ行列コード）等を介して行うことも考えられる。開ループ制御および／または閉ループ制御ユニット１２ａによって算出された加工工具４４ａに依存して、駆動ユニットパラメータは、駆動ユニット１６ａを開ループ制御および／または閉ループ制御するために適合可能かつ／または可変である。
【００５０】
工作機械３４ａの練習開始運転モードで、加工工具４４ａのために最適な回転数が、加工しようとする工作物の材料（鋼、特殊鋼、石、コンクリート、木材その他）に依存して、開ループ制御および／または閉ループ制御ユニット１２ａによって少なくとも部分的に自動的に調節可能である。このために、工作機械装置１０ａは、少なくとも１つの工作物特性値を検出するための少なくとも１つの工作物センサユニット３０ａを有しており、この工作物特性値は、駆動ユニット１６ａの少なくとも開ループ制御および／または閉ループ制御のために、かつ／または開ループ制御および／または閉ループ制御ユニット１２ａの作業員に情報提供するために処理可能である。このために、工作物センサユニット３０ａは少なくとも１つの工作物センサ素子７４ａ（図２）を有している。この場合、開ループ制御および／または閉ループ制御ユニット１２ａは、少なくとも練習開始運転モードで、駆動ユニット用センサユニット１４ａによって検出された少なくとも１つの駆動ユニット特性値と、周囲センサユニット１８ａによって検出された少なくとも１つの周囲特性値と、加工工具センサユニット２４ａによって検出された少なくとも１つの加工工具特性値と、工作機械付属品センサユニット３２ａによって検出された少なくとも１つの工作機械付属品特性値と、工作物センサユニット３０ａによって検出された少なくとも１つの工作物特性値とに依存して、駆動ユニット１６ａを少なくとも部分的に自動的に開ループ制御および／または閉ループ制御するために設けられている。
【００５１】
さらに、工作機械３４ａの練習開始運転モードで、駆動ユニット１６ａの無負荷回転数に達するまでの加速中に加工工具４４ａの振動に関する異常が検出可能である。これによって、加工工具４４ａの間違った取り付け、摩耗および／または欠陥が検出可能である。従って、開ループ制御および／または閉ループ制御ユニット１２ａによって、工作機械装置１０ａの情報アウトプットユニット３６ａを介して情報を作業員にアウトプットすることができ、かつ／または駆動ユニット１６ａをアクティブに制動することができ、かつ／または駆動ユニット１６ａへのエネルギ供給を遮断することができる。また、加工工具４４ａの算出に基づいて、加工工具４４ａのために適した駆動ユニット１６ａの最大回転数を調節することができる。従って、開ループ制御および／または閉ループ制御ユニット１２ａは、少なくとも練習開始運転モードで加工工具状態を算出し、この加工工具状態を情報アウトプットユニット３６ａによってアウトプットし、かつ／またはこの加工工具状態を、工作機械３４ａの駆動ユニット１６ａの開ループ制御および／または閉ループ制御のために考慮する。
【００５２】
さらに、工作機械３４ａは少なくとも１つの加工工具固定ユニット６２ａを有しており、この加工工具固定ユニット６２ａは、加工工具４４ａを工作機械３４ａの工具収容部２８ａに固定するための少なくとも１つの固定部材（ここには詳しく図示されていない）を有している。この場合、加工工具センサユニット２４ａは、少なくとも１つの固定センサ素子６４ａを有しており、この固定センサ素子６４ａは、少なくとも１つの運転モードで、工具収容部２８ａにおける加工工具４４ａの確実な固定を監視するために設けられている。固定センサ素子６４ａが加工工具４４ａの解除された状態を検出すると、開ループ制御および／または閉ループ制御ユニット１２ａによって駆動ユニット１６ａのエネルギ供給が遮断可能である。これによって、駆動ユニット１６ａの始動がブロックされる。この場合、工作機械３４ａの緊締ナットおよび／または駆動スピンドルが１つの孔を有していて、この孔内に固定部材が挿入可能、特にサーボモータを介して挿入可能であり、このサーボモータの位置が固定センサ素子６４ａによって検出可能であることが考えられる。また、緊締ナットとして構成された固定部材は、アクチュエータユニット２６ａとして構成された締付ユニットによって所定のトルクが得られるまで予備締付け可能であってよく、この場合、トルクはトルクセンサ５８ａによって検出可能である。従って、工作機械装置１０ａは少なくとも、加工工具センサユニット２４ａによって検出された少なくとも１つの加工工具特性値に少なくとも依存して、工作機械３４ａの工具収容部２８ａをロックするためのアクチュエータユニット２６ａを有している。
【００５３】
さらに、工作機械装置１０ａの１実施態様によれば、緊締ナットとして構成された固定部材内に、工作機械装置１０ａの振動励起素子６６ａ（図２）が配置されており、この振動励起素子６６ａによって、駆動スピンドル上における加工工具４４ａの確実な配置が点検可能である。振動励起素子６６ａは、スマートマテリアル素子（Ｓｍａｒｔ−Ｍａｔｅｒｉａｌ−Ｅｌｅｍｅｎｔ）、ピエゾ素子、ボイスコイル素子またはその他の、当業者にとって有意義であるとみなされた励起素子として構成されていてよい。この場合、加工工具４４ａは、振動励起素子６６ａによって振動せしめられ、この振動が加工工具センサユニット２４ａによって検出可能であり、開ループ制御および／または閉ループ制御ユニット１２ａによって評価可能である。加工工具４４ａはさらに、開ループ制御および／または閉ループ制御ユニット１２ａによって複数のセクションに分割可能であり、この場合、各セクションは個別に、振動に関連して開ループ制御および／または閉ループ制御ユニット１２ａによって評価可能である。これによって好適な形式で、１つのセクション内の加工工具４４ａの損傷が検知され得る。さらに、加工工具特性値を検出するための、当業者にとって有意義であるとみなされた別の実施態様も、同様に考えられる。
【００５４】
工作機械３４ａの快適運転モードで、加工工具４４ａは、工作機械３４ａのスイッチオフ後に、開ループ制御および／または閉ループ制御ユニット１２ａによる工作機械装置１０ａおよび／または駆動ユニット１６ａのブレーキユニットの開ループ制御および／または閉ループ制御により、アクティブに制動可能、特に衝動的にアクティブに制動可能である。これによって、緊締ナットとして構成された、駆動スピンドルにおける固定部材は解除可能である。好適には、加工工具４４ａを簡単かつ工具なしで交換および／または取り外すことができる。緊締ナットを解除するためのブレーキトルクを決定するために、停止状態から無負荷回転数までの加速時に、加工工具４４ａの慣性モーメントが決定可能である。このために、例えば加速時間、加速のために必要なトルク、および／または加工工具４４ａの回転数等のパラメータが検出可能であることで、加工工具センサユニット２４ａによって、加工工具４４ａの慣性モーメントが決定可能である。
【００５５】
また、駆動スピンドル、および／またはリングギヤとして構成された、被駆動ユニット５２ａの被駆動部材（ここには詳しく図示されていない）は、工作機械３４ａの快適運転モードで、工作機械３４ａのスイッチオフ後に、開ループ制御および／または閉ループ制御ユニット１２ａによる駆動ユニット１６ａの開ループ制御および／または閉ループ制御によって、次のように位置決め可能である、つまり、駆動スピンドルおよび／または、リングギヤとして構成された被駆動部材が係止部材によって１つの係止位置に快適に係止可能であるように、位置決め可能である。このために、工作機械３４ａのスイッチオフ後に、駆動ユニット用センサユニット１４ａによって、駆動ユニット１６ａの被駆動軸の位置が、例えば駆動ユニット用センサユニット１４ａの位置センサ（回転センサ、リゾルバ、ホールセンサその他）によって検出される。その結果から、開ループ制御および／または閉ループ制御ユニット１２ａによって、駆動スピンドルの位置が得られる。駆動スピンドルの得られた位置から、駆動スピンドルに相対回動不能に結合された被駆動部材の位置が得られる。開ループ制御および／または閉ループ制御ユニット１２ａは、被駆動部材の少なくとも１つの係止切欠が係止部材と整列して停止するように、駆動ユニット１６ａを開ループ制御および／または閉ループ制御する。これによって、係止部材は、作業員により係止切欠内に直接挿入可能である。しかしながら、加工工具センサユニット２４ａが、被駆動部材の位置を検出するために設けられた加工工具センサ素子７０ａ，７２ａ，７６ａを有しており、開ループ制御および／または閉ループ制御ユニット１２ａが、被駆動部材を係止位置に位置決めするために駆動ユニット１６ａを加工工具センサ素子７０ａ，７２ａ，７６ａによって検出された被駆動部材特性値に依存して開ループ制御および／または閉ループ制御することも考えられる。しかも、これによって、工作機械３４ａの工具収容部２８ａに配置された加工工具４４ａの加工工具位置を検出することができる。従って、開ループ制御および／または閉ループ制御ユニット１２ａは、駆動ユニット用センサユニット１４ａによって検出された少なくとも１つの駆動ユニット特性値に少なくとも依存して、工作機械の工具収容部２８ａに配置された加工工具４４ａの加工区具位置を算出するために設けられている。
【００５６】
さらに、工作機械装置１０ａは少なくとも１つの作業範囲照明ユニット９２ａを有しており、この作業範囲照明ユニット９２ａは、周囲センサユニット１８ａによって検出された少なくとも１つの周囲特性値に依存して、開ループ制御および／または閉ループ制御ユニット１２ａによって開ループ制御可能および／または閉ループ制御可能である。
【００５７】
さらに、工作機械装置１０ａは、開ループ制御および／または閉ループ制御ユニット１２ａによって駆動ユニット１６ａを少なくとも開ループ制御および／または閉ループ制御するために処理可能である少なくとも１つの加工特性値をインプットするための少なくとも１つのインプットユニット８８ａを有している。インプットユニット８８ａによって、開ループ制御および／または閉ループ制御ユニット１２ａによる駆動ユニット１６ａの少なくとも１つの開ループ制御および／または閉ループ制御に影響を与えることができる。しかも、インプットユニット８８ａによって工作機械３４ａの運転モードが調節可能である。この場合、工作機械３４ａは、少なくとも練習開始運転モードと、学習モードと、基準運転モードと、安全運転モードと、同期運転モードと、エミッション運転モードと、快適運転モードおよび／または自動運転モードとを有している。この場合、開ループ制御および／または閉ループ制御ユニット１２ａは、少なくともエミッション運転モードで、駆動ユニット用センサユニット１４ａによって検出された少なくとも１つの駆動ユニット特性値と、周囲センサユニット１８ａによって検出された少なくとも１つの周囲特性値と、工作機械装置１０ａの少なくとも通信ユニット２０ａによって受信された電子データとに依存して、駆動ユニット１６ａを少なくとも部分的に自動的に開ループ制御および／または閉ループ制御するために設けられている。
【００５８】
工作機械３４ａの自動運転モードでは、前記運転モードが、開ループ制御および／または閉ループ制御ユニット１２ａによって、特に前記センサユニットによって算出可能である検出された特性値に依存して、自動的に選択される。自動運転モードでは、駆動ユニット１６ａの少なくとも概ね自動的な開ループ制御および／または閉ループ制御が、加工工具センサユニット２４ａと周囲センサユニット１８ａと工作物センサユニット３０ａと工作機械付属品センサユニット３２ａと駆動ユニット用センサユニット１４ａとに依存して、開ループ制御および／または閉ループ制御ユニット１２ａによって行われる。
【００５９】
図３には、選択的な工作機械装置１０ａ′が示されている。選択的な工作機械装置１０ａ′は、図２に概略的に示された工作機械装置１０ａと比較して少なくとも概ね類似した構成を有している。図２に概略的に示された工作機械装置１０ａとは異なり、図３に概略的に示された選択的な工作機械装置１０ａ′は、少なくとも１つの前処理ユニット７８ａ′を有している。前処理ユニット７８ａ′は、選択的な工作機械装置１０ａ′の複数のセンサ素子および／もしくはセンサユニットの互いの通信、ならびに／または選択的な工作機械装置１０ａ′の開ループ制御および／もしくは閉ループ制御ユニット１２ａ′との通信を編成するために設けられている。この場合、前処理ユニット７８ａ′は、個別のセンサ信号をまとめて仮決定するために設けられている。この場合、前処理ユニット７８ａ′と開ループ制御および／または閉ループ制御ユニット１２ａ′との間の通信は無線および／または有線で行われる。
【００６０】
図４〜図６は、本発明の別の実施例を示す。以下の説明および図面は、概ね複数の実施例間の相違点に限定されており、この場合、同じ呼称の部材、特に同じ符号を有する部材に関連して、基本的に別の実施例、特に図１〜図３の実施例の図面および／または説明が参照される。複数の実施例を区別するために、図１〜図３の実施例の符号の後ろにアルファベットのａが付けられている。図４〜図６の実施例では、アルファベットａの代わりにアルファベットｂまたはｃが付けられている。
【００６１】
図４は、少なくとも１つの工作機械装置１０ｂを備えた工作機械３４ｂを示す。工作機械３４ｂは、持ち運び可能な工作機械として構成されている。この場合、工作機械３４ｂは、ハンマドリルおよび／またはチゼルハンマとして構成されている。工作機械３４ｂは、少なくとも１つの打撃装置８０ｂを有している。さらに、工作機械３４ｂは工作機械ハウジング４０ｂを有しており、この工作機械ハウジング４０ｂの前部領域に加工工具４４ｂを収容するための工作機械３４ｂの工具収容部２８ｂが配置されている。前部領域とは反対側で、工作機械３４ｂは、工作機械３４ｂをガイドし、かつ力、特に押し付け力を作業員から工作機械３４ｂに伝達するためのメイングリップ４２ｂを有している。工作機械３４ｂはさらに、解除可能な補助グリップユニットを備えて構成されている。この場合、補助グリップユニットは、係止結合部またはその他の、当業者にとって有意義であるとみなされた結合部を介して工作機械ハウジング４０ｂに解除可能に固定されていてよい。
【００６２】
打撃装置８０ｂによって、駆動トルクを発生させて打撃衝撃を発生させるために、工作機械３４ｂは駆動ユニット１６ｂを有している。打撃衝撃を発生させるための駆動ユニット１６ｂの駆動トルクは、工作機械３４ｂの被駆動ユニット５２ｂを介して打撃装置８０ｂに伝達される。しかしながら、工作機械３４ｂが被駆動ユニット５２ｂとは分離して構成されていて、駆動ユニット１６ｂが打撃衝撃を発生させるために打撃装置８０ｂに実質的に直接作用することも考えられる。打撃装置８０ｂの打撃衝撃は、当業者に公知の方法および形式で生ぜしめられる。同様に、工具収容部２８ｂおよびひいては加工工具４４ｂの回転駆動は、当業者に既に公知の方法および形式で生ぜしめられる。
【００６３】
工作機械装置１０ｂは、図１〜図３の説明に記載した工作機械装置１０ａと同様に、少なくとも１つの加工工具センサユニット２４ｂと、少なくとも１つの周囲センサユニット１８ｂと、少なくとも１つの工作物センサユニット３０ｂと、少なくとも１つの工作機械付属品センサユニット３２ｂと、少なくとも１つのインプットユニット８８ｂと、少なくとも１つの通信ユニット２０ｂと、少なくとも１つの情報アウトプットユニット３６ｂとを有している。
【００６４】
インプットユニット８８ｂによって、工作機械３４ｂの運転モードが調節可能である。この場合、工作機械３４ｂは、少なくとも１つの練習開始モードと、学習運転モードと、基準運転モードと、安全運転モードと、同期運転モードと、エミッション運転モードと、快適運転モードおよび／または自動運転モードとを有している。快適運転モードで、駆動ユニット１６ｂは、自動的な回転方向逆転機能を実現するために、加工工具センサユニット２４ｂによって検出された加工工具特性値、例えば加工工具寸法に依存して、および工作物センサユニット３０ｂによって検出された工作物特性値、例えば工作機械３４ｂと工作物との間の間隔に依存して、開ループ制御および／または閉ループ制御ユニット１２ｂによって開ループ制御可能および／または閉ループ制御可能である。この場合、インプットユニット８８ｂによって設定された穿孔深さが得られたときに、駆動ユニット１６ｂの回転方向逆転が作動可能である。この回転方向逆転は、好適には非常に緩やかであって、つまり衝撃なしである。しかも、駆動ユニット１６ｂの回転数は、穿孔工程中の回転数よりも小さい。回転方向逆転に基づいて、加工工具４４ｂが工作物内に食い込むことは好適な形式で避けられる。また好適な形式で、工作物から加工工具４４ｂを取り除く際に作業員は支援される。
【００６５】
さらに、快適運転モードで、開ループ制御および／または閉ループ制御ユニット１２ｂによって、工具交換機能が開ループ制御可能および／または閉ループ制御可能である。この場合、開ループ制御および／または閉ループ制御ユニット１２ｂは少なくとも１つの運転モードで、工作機械３４ｂの工具収容部２８ｂを少なくとも部分的に自動的に開放および／または閉鎖する。このために、工作機械装置１０ｂは、少なくとも１つのアクチュエータユニット２６ｂを有しており、このアクチュエータユニット２６ｂは、加工工具センサユニット２４ｂによって検出された少なくとも１つの加工工具特性値に少なくとも依存して、工作機械３４ｂの工具収容部２８ｂを操作および／または係止する。この場合、アクチュエータユニット２６ｂによって、工具収容部２８ｂの係止は解除可能である。これによって、工具収容部２８ｂ内に配置された加工工具４４ｂは取り出し可能である。加工工具センサユニット２４ｂが、工具収容部２８ｂ内に加工工具４４ｂが挿入されたことを検知すると、アクチュエータユニット２６ｂが開ループ制御および／または閉ループ制御ユニット１２ｂによって工具収容部２８ｂを係止するために自動的に作動可能である。この場合、アクチュエータユニット２６ｂは、スピンドル駆動ユニットを備えたサーボモータとして、リニアモータとして、または打撃装置８０ｂによって直接的にもしくは間接的にアキュムレータを介して圧力で負荷可能なニューマチックシリンダとして構成されていてよい。これによって好適な形式で片手工具交換が実現可能である。何故ならば、作業員は一方の手で工作機械３４ｂを保持することができ、他方の手で加工工具４４ｂをガイド／交換できるからである。
【００６６】
エミッション運転モードで、周囲センサユニット１８ｂによって、工作機械３４ｂの騒音エミッションおよび／またはダストエミッションを検出することができる。開ループ制御および／または閉ループ制御ユニット１２ｂが、インプットユニット８８ｂによってインプットされた、または通信ユニット２０ｂによって伝送された騒音エミッション限界値を越えたことを検知すると、打撃装置８０ｂの打撃エネルギおよび／もしくは打撃回数ならびに／または駆動ユニット１６ｂの回転数は減少可能である。これによって、開ループ制御および／または閉ループ制御ユニット１２ｂは、周囲センサユニット１８ｂを介して工作機械３４ｂによる少なくとも１つの周囲の影響を算出し、この工作機械３４ｂによる周囲の影響を、工作機械３４ｂの駆動ユニット１６ｂを少なくとも開ループ制御および／または閉ループ制御するために考慮する。開ループ制御および／または閉ループ制御ユニット１２ｂが、インプットユニット８８ｂによってインプットされた、または通信ユニット２０ｂによって伝送されたダストエミッション限界値を越えたことを検知すると、工作機械３４ｂに接続されたダスト吸引器が作動可能および／または追加的に高出力吸引モードに切換え可能である。開ループ制御および／または閉ループ制御ユニット１２ｂが工作機械３４ｂの少ないダストエミッションを検知すると、工作機械３４ｂに接続されたダスト吸引器が、騒音エミッションを小さく維持するために、低出力モードに切換え可能である。工作機械装置１０ｂの別の特徴に関連して、図１〜図３の説明に記載した工作機械装置１０ａが参照されてよい。
【００６７】
図５は、少なくとも１つの工作機械装置１０ｃを備えた工作機械３４ｃを示す。工作機械３４ｃは、持ち運び可能な工作機械として構成されている。この場合、工作機械３４ｃはコードレススクリュードライバとして構成されている。工作機械３４ｃは、少なくとも１つの工作機械ハウジング４０ｃを有しており、この工作機械ハウジング４０ｃの前部領域に、加工工具（ここには詳しく図示されていない）を収容するための工作機械３４ｃの工具収容部２８ｃが配置されている。前部領域とは反対側で、工作機械３４ｃは、工作機械３４ｃをガイドし、かつ力、特に押し付け力を作業員から工作機械３４ｃに伝達するためのメイングリップ４２ｃを有している。駆動トルクを生ぜしめるために、工作機械３４ｃは駆動ユニット１６ｃを有している。工作機械３４ｃの被駆動ユニット５２ｃを介して、駆動ユニット１６ｃの駆動トルクが、回転運動を生ぜしめるために工具収容部２８ｃに伝達される。しかしながら、工作機械３４ｃが被駆動ユニット５２ｃとは分離して構成されていて、駆動ユニット１６ｃが回転運動を生ぜしめるために工具収容部２８ｃに実質的に直接作用することも考えられる。これによって、工具収容部２８ｃおよび加工工具の回転駆動が、当業者にとって既に公知である方法および形式で生ぜしめられる。
【００６８】
工作機械装置１０ｃは、図１〜図３の説明に記載された工作機械装置１０ａと同様に、少なくとも１つの加工工具センサユニット２４ｃと、少なくとも１つの周囲センサユニット１８ｃと、少なくとも１つの工作物センサユニット３０ｃと、少なくとも１つの工作機械付属品センサユニット３２ｃと、少なくとも１つのインプットユニット８８ｃと、少なくとも１つの通信ユニット２０ｃと、少なくとも１つの情報アウトプットユニット３６ｃとを有している。
【００６９】
インプットユニット８８ｃによって、工作機械３４ｃの運転モードが調節可能である。この場合、工作機械３４ｃは、少なくとも１つの練習開始運転モードと、学習モードと、基準運転モードと、安全運転モードと、同期運転モードと、エミッション運転モードと、快適運転モードおよび／または自動運転モードとを有している。この場合、快適運転モードは、開ループ制御および／または閉ループ制御ユニット１２ｃによって工具交換機能を開ループ制御可能および／または閉ループ制御可能である。この場合、開ループ制御および／または閉ループ制御ユニット１２ｃは、少なくとも１つの運転モードで、工作機械３４ｃの工具収容部２８ｃを少なくとも部分的に自動的に開放および／または閉鎖する。このために、工作機械装置１０ｃは、加工工具センサユニット２４ｃによって検出された少なくとも１つの加工工具特性値に少なくとも依存して、工作機械３４ｃの工具収容部２８ｃを操作および／または係止するための少なくとも１つのアクチュエータユニット２６ｃを有している。この場合、アクチュエータユニット２６ｃによって、工具収容部２８ｃの係止が解除可能である。これによって、工具収容部２８ｃ内に配置された加工工具４４ｃは取り出し可能である。加工工具センサユニット２４ｃが、加工工具４４ｃが工具収容部２８ｃ内に挿入されたことを検出すると、アクチュエータユニット２６ｃが開ループ制御および／または閉ループ制御ユニット１２ｃによって、工具収容部２８ｃを係止するために自動的に作動可能である。この場合、アクチュエータユニット２６ｃは、サーボモータとして、リニアモータとして、電磁クラッチとして、または当業者にとって有意義であるとみなされた別のアクチュエータユニットとして構成されていてよい。
【００７０】
エミッション運転モードで、周囲センサユニット１８ｃによって、工作機械３４ｃの騒音エミッションが検出可能である。開ループ制御および／または閉ループ制御ユニット１２ｃが、インプットユニット８８ｃによってインプットされた、または通信ユニット２０ｃによって伝送された騒音エミッション限界値を越えたことを検知すると、工作機械３４ｃのブレーキユニットの特性曲線が可変であり、かつ／または駆動ユニット１６ｃの回転数が低下可能である。従って、開ループ制御および／または閉ループ制御ユニット１２ｃは、周囲センサユニット１８ｃを介して、工作機械３４ｃによる少なくとも１つの周囲の影響を算出し、この工作機械３４ｃによる周囲の影響を、工作機械３４ｃの駆動ユニット１６ｃを少なくとも開ループ制御および／または閉ループ制御するために考慮する。工作機械装置１０ｃの別の特徴に関連して、図１〜図３の説明に記載された工作機械装置１０ａが参照されてよい。
【００７１】
図６は、少なくとも１つの工作機械装置１０ｄを備えた工作機械３４ｄを示す。工作機械３４ｄは、持ち運び可能な工作機械として構成されている。この場合、工作機械３４ｄは引き回し鋸として構成されている。工作機械３４ｄは、工作機械ハウジング４０ｄを有しており、この工作機械ハウジング４０ｄは、工作機械３４ｄの駆動ユニット１６ｄと工作機械３４ｄの被駆動ユニット５２ｄとを有している。駆動ユニット１６ｄおよび被駆動ユニット５２ｄは、工作機械３４ｄの工具収容部２８ｄ内に緊締された加工工具４４ｄを振動駆動するために設けられている。この場合、加工工具４４ｄは、加工方向に対して概ね垂直に振動駆動せしめられる。加工工具４４ｄは引き回し鋸として構成されている。しかしながら、加工工具４４ｄは、当業者により有意義とみなされた別の加工工具として構成されることも考えられる。この場合、加工工具４４ｄの振動駆動は、当業者により既に公知の方法および形式で行われる。
【００７２】
工作機械装置１０ｄは、図１〜図３の説明に記載された工作機械装置１０ａと同様に、少なくとも１つの加工工具センサユニット２４ｄと、少なくとも１つの周囲センサユニット１８ｄと、少なくとも１つの工作物センサユニット３０ｄと、少なくとも１つの工作機械付属品センサユニット３２ｄと、少なくとも１つのインプットユニット８８ｄと、少なくとも１つの通信ユニット２０ｄと、少なくとも１つの情報アウトプットユニット３６ｄとを有している。
【００７３】
インプットユニット８８ｃによって、工作機械３４ｃの１つの運転モードが調節可能である。この場合、工作機械３４ｃは、少なくとも１つの練習開始モードと、学習運転モードと、基準運転モードと、安全運転モードと、同期運転モードと、エミッション運転モードと、快適運転モードおよび／または自動運転モードとを有している。この場合、快適運転モードで、加工工具４４ｄは、工作機械３４ｄのスイッチオフ後に、収納位置に停止可能であり、この収納位置で、この加工工具４４ｄは工作機械３４ｄの工作機械ハウジング４０ｄおよび／またはベースプレート９０ｄから最小の突き出し寸法を有している。このために、加工工具センサユニット２４ｄによって、工作機械ハウジング４０ｄおよび／またはベースプレート９０ｄに対して相対的な加工工具４４ｄの位置が検出可能である。加工工具４４ｄの検出された位置を用いて、開ループ制御および／または閉ループ制御ユニット１２ｄは駆動ユニット１６ｄを、加工工具４４ｄが収納位置で停止するように、開ループ制御および／または閉ループ制御する。これによって、好適な形式で、工作機械３４ｄのスペースを節約した収納が可能である。
【００７４】
さらに、快適運転モードで、工具交換機能が手動でおよび／または自動的に作動可能である。この場合、加工工具４４ｄは快適運転モードで、工作機械３４ｄのスイッチオフ後に工具交換位置に停止可能であり、この工具交換位置で、加工工具４４ｄは、工作機械ハウジング４０ｄおよび／またはベースプレート９０ｄから最大の突き出し寸法を有している。このために、加工工具センサユニット２４ｄによって、工作機械ハウジング４０ｄおよび／またはベースプレート９０ｄに対して相対的な加工工具４４ｄの位置が検出可能である。加工工具４４ｄの検出された位置を用いて、開ループ制御および／または閉ループ制御ユニット１２ｄは、駆動ユニット１６ｄを次のように、つまり、加工工具４４ｄが工具交換位置で停止されるように、開ループ制御および／または閉ループ制御する。工具交換機能は作業員によって手動で作動可能であり、および／または周囲センサユニット１８ｄは、室内での工作機械３４ｄの配向を検出し、工作機械ハウジング４０ｄの、工具収容部２８ｄとは反対側の表面との接触を検出する。これによって好適な形式で、快適な工具交換を実施することができる。
【００７５】
エミッション運転モードで、工作物センサユニット３０ｄによって、加工中の工作物の振動が検出可能である。これによって好適には、工作物の騒音エミッションが好適な形式で検知され得る。開ループ制御および／または閉ループ制御ユニット１２ｄは、工作物の検出された振動を評価して、工作機械３４ｄの対向振動ユニット（ここでは詳しく示されていない）を作動し、かつ／または工作物の振動に影響を及ぼすためにストローク周波数および／または往復ストロークを変える。
【００７６】
エミッション運転モードではさらに、周囲センサユニット１８ｄによって、工作機械３４ｄの騒音エミッションおよび／またはダストエミッションが検出可能である。開ループ制御および／または閉ループ制御ユニット１２ｄが、インプットユニット８８ｄによってインプットされた、または通信ユニット２０ｄによって伝送された騒音エミッション限界値を越えたことを検知すると、ストローク周波数、往復ストロークおよび／または回転数が減少可能である。これによって、開ループ制御および／または閉ループ制御ユニット１２ｄは、周囲センサユニット１８ｄを介して工作機械３４ｄによる少なくとも１つの周囲の影響を算出し、この工作機械３４ｄによる周囲の影響を、工作機械３４ｄの駆動ユニット１６ｄを少なくとも開ループ制御および／または閉ループ制御するために考慮する。開ループ制御および／または閉ループ制御ユニット１２ｂが、インプットユニット８８ｄによってインプットされた、または通信ユニット２０ｄによって伝送されたダストエミッション限界値を越えたことを検知すると、工作機械３４ｄに接続されたダスト吸引器が作動可能および／または追加的に高出力吸引モードに切換え可能である。開ループ制御および／または閉ループ制御ユニット１２ｄが工作機械３４ｄの少ないダストエミッションを検知すると、工作機械３４ｄに接続されたダスト吸引器が、騒音エミッションを小さく維持するために、低出力モードに切換え可能である。工作機械装置１０ｄの別の特徴に関連して、図１〜図３の説明に記載した工作機械装置１０ａが参照されてよい。
【符号の説明】
【００７７】
１０ａ，１０ａ′，１０ｂ，１０ｃ，１０ｄ  工作機械装置
１２ａ，１２ａ′，１２ｂ，１２ｃ，１２ｄ  開ループ制御および／または閉ループ制御ユニット
１４ａ，１４ａ′，１４ｂ，１４ｃ，１４ｄ  駆動ユニット用センサユニット
１６ａ，１６ａ′，１６ｂ，１６ｃ，１６ｄ  駆動ユニット
１８ａ，１８ａ′１８ｂ，１８ｃ，１８ｄ  周囲センサユニット
２０ａ，２０ａ′，２０ｂ，２０ｃ，２０ｄ  通信ユニット
２２ａ，２２ａ′，２２ｂ、２２ｃ、２２ｄ  外部ユニット
２４ａ，２４ａ′，２４ｂ，２４ｃ，２４ｄ  加工工具センサユニット
２６ａ，２６ａ′，２６ｂ，２６ｃ  アクチュエータユニット
２８ａ，２８ａ′，２８ｂ，２８ｃ，２８ｄ  工具収容部
３０ａ，３０ａ′，３０ｂ，３０ｃ，３０ｄ  工作物センサユニット
３２ａ，３２ａ′，３２ｂ，３２ｃ，３２ｄ  工作機械付属品センサユニット
３４ａ，３４ｂ，３４ｃ，３４ｄ  工作機械
３６ａ，３６ａ′，３６ｂ，３６ｃ，３６ｄ  情報アウトプットユニット
３８ａ  工作機械付属品ユニット
４０ａ，４０ｂ，４０ｃ，４０ｄ  工作機械ハウジング
４２ａ，４２ｂ，４２ｃ  メイングリップ
４４ａ，４４ｂ，４４ｃ，４４ｄ  加工工具
４６ａ  主延在方向
５０ａ  伝動装置ハウジング
５２ａ，５２ｂ，５２ｃ，５２ｄ  被駆動ユニット
５４ａ  工作機械付属品ユニット
５６ａ  慣性センサ
５８ａ  トルクセンサ
６０ａ  電流センサ
６２ａ  加工工具固定ユニット
６４ａ  固定センサ素子
６６ａ  振動励起素子
６８ａ  エミッションセンサ素子
７０ａ，７２ａ，７６ａ  加工工具センサ素子
７４ａ  工作物センサ素子
７８ａ′  前処理ユニット
８０ｂ  打撃装置
８４ａ  位置センサ
８６ａ  現在位置特定センサ、ＧＰＳセンサ
８８ａ，８８ｂ，８８ｃ，８８ｄ  インプットユニット
９０ｄ  ベースプレート
９２ａ，９２ｂ，９２ｃ，９２ｄ  作業範囲照明ユニット
【図１】
0006472810.tif 000002
【図２】
0006472810.tif 000003
【図３】
0006472810.tif 000004
【図４】
0006472810.tif 000005
【図５】
0006472810.tif 000006
【図６】
0006472810.tif 000007